(57)【要約】【課題】大きい熱エネルギーを効率的に吸収及び放出可能な自然の熱エネルギーを利用した給気システムを提供する。【解決手段】自然の熱マトリックス１００と温度均等装置１０１との間に中間貯熱体１０００が設置されている。中間貯熱体１０００は、良い熱伝導係数及び高い単位熱容量比を持ち、固体または膠状または液体またはガスを含む物体によって構成され、自然の熱マトリックス１０００の熱エネルギーを吸収し、多くの熱エネルギーを貯蔵する。温度均等装置１０１の両端には別々に第一流体導管１０２及び第二流体導管１０３が設置され、気流が輸送される。温度均等装置１０１によって通過する気流に対して調温を行い、温度が調節される空間へ気流を輸送することによって、温度が調節される空間は自然の熱マトリックスに近い熱エネルギーを得ることができる。【選択図】  図３
2011043294.tif 000002
【特許請求の範囲】
【請求項１】
一種の自然界の地層、地表、池、湖、河川などの安定温度である自然の熱マトリックスを利用し、エアコン応用のシステム或いは装置に対して自然の熱マトリックスと両端に流体導管が別々に設置されている温度均等装置との間に革新的に中間貯熱体を設置し、中間貯熱体は良い熱伝導係数及びより高い単位熱容量比を持ち、二者或いはその中の一つは外部に安定温度である自然の熱マトリックスより優れていて、中間貯熱体は固体または膠状または液体またはガスを含む物体によって構成され、より良い熱伝導係数及びより高い単位熱容量比を通して、周辺の安定温度である自然の熱マトリックスの熱エネルギーを吸収し、より高い単位熱容量比はより多い熱エネルギーを貯蔵し、及びより良い熱伝導係数の特性があって、短時間に温度均等装置を経て、温度均等装置を通過するガスに対してより大きい熱エネルギーの放出に有利であり、その主な構成は下記を含み、
温度均等装置（１０１）は内部にあるシングルサーキット或いはマルチサーキットを並列に接続する流体通路の導熱体によって構成され、一個或いは多数個の温度均等装置（１０１）が設置され、直列接続または並列接続または直並列接続の選択が可能で、中間貯熱体（１０００）の中に設置され、或いは、同一構造または隣接結合し、中間貯熱体（１０００）を温度均等装置（１０１）と自然の熱マトリックス（１００）との間に設置され、温度均等装置（１０１）は良い熱伝導係数の材料によって構成され、内外の吸熱と放熱面は平滑面または特定な交錯状または特定な湾曲曲線状構造によって構成され、或いは、良い熱伝導係数の材料によって構成され、直線または湾曲曲線状の管状流体導管構造によって温度均等装置（１０１）が構成され、及びニーズによって温度均等装置（１０１）の外部に外部に向かって延伸する翼状或いは柱状の導熱構造の設置が選択され、或いは、内部に内部に向かって延伸する翼状或いは柱状の導熱構造が設置されることによって、吸熱及び放熱効果を高め、温度均等装置（１０１）は少なくとも一つの入口及び少なくとも一つの出口を持ち、別々に第一流体導管（１０２）及び第二流体導管（１０３）と接続し、
第一流体導管（１０２）は少なくとも一個の管状流体導管によって構成され、温度均等装置（１０１）の入口に接続し、空気を温度均等装置（１０１）へ輸送し、空気を自然の熱マトリックス（１００）の温度に近づけ、前記空気は第一流体導管（１０２）の入口端外部の周辺区域より供給し、
中間貯熱体（１０００）は温度均等装置（１０１）及び外部の自然の熱マトリックスと異なる材料によって構成され、少なくとも一個の中間貯熱体（１０００）を通して、温度均等装置（１０１）と同一構造体をなし、同一構造または組立てまたは隣接して設置され、或いは、一個または数個を直列または並列または直並列に接続する温度均等装置（１０１）の周辺と外部の自然の熱マトリックス（１００）との間に充填されることを含み、温度均等装置（１０１）と中間貯熱体（１０００）の同一構造体が二個或いは二個以上であるとき、自然の熱マトリックス（１００）の中に分散設置され、自然の熱マトリックス（１００）は自然界のより大きくかつ安定な貯熱容量を持つ地層、地表、池、湖、河川、砂漠、氷山、海洋などの固体或いは液体貯熱体によって構成され、中間貯熱体（１０００）の構成材料の熱伝導係数及び／或いは単位熱容量比の二者或いはその中の一つは中間貯熱体（１０００）の外部の自然の熱マトリックス（１００）より優れていて、中間貯熱体（１０００）は固体または膠状または液体またはガス貯熱材料物体によって構成されることを含み、直接に自然の熱マトリックス（１００）の間に設置され、或いは、選択した貯熱物質の材料性質に合わせてまたは構造のニーズ、環境保全のニーズ、更なるニーズによって貯熱物体の外部に設置することを選択され、良い熱伝導係数である材料によって構成される容器状のケースボディー構造或いは良い熱伝導係数の材料によって網状または柵状または多孔状隔離構造が構成されることによって、中間貯熱体（１０００）と自然の熱マトリックス（１００）の相対的な空間的位置関係を制限または隔離し、熱伝導を高め、貯熱物質と自然の熱マトリックス（１００）と温度均等体との間の熱伝導面は平滑面または特定な交錯状または外部に向かって輻射延伸する翼状或いは柱状構造であることによって熱伝導効果を高め、中間貯熱体が持っているより良い熱伝導係数及び／或いはより良い単位熱容量比の特性を通して、周辺の安定温度である自然の熱マトリックス（１００）の熱エネルギーを吸収し、中間貯熱体（１０００）はより高い単位熱容量比がより大きい熱容量の熱エネルギーを貯蔵することによって、同じ単位時間と同じ温度差条件において、最大伝送熱エネルギーを温度均等装置（１０１）へ伝送し、
第二流体導管（１０３）は少なくとも一個の管状流体導管によって構成され、温度均等装置（１０１）の出口に接続し、空気を第二流体導管（１０３）の少なくとも一個の出口へ伝送し、少なくとも一個の選択温度が調節される空間へ入り、建物内部或いは室内或いは構造体本体或いは開放空間を含み、
ポンプ装置（１０４）は各第一流体導管（１０２）或いは各第二流体導管（１０３）、或いは、第一流体導管（１０２）及び第二流体導管（１０３）の両方に接続するように設置され、空気を圧動し、接続する第一流体導管（１０２）、温度均等装置（１０１）及び接続する第二流体導管（１０３）を経て、選択温度で調節される空間に入れ、ポンプ装置は回転による機械力を送って駆動し、或いは、電気エネルギーを送って電動機の電磁効果を回転駆動する動力ポンプ及びオンオフ制御関連或いは風量調整の制御インターフェイスによって構成され、或いは、自然力の風力エネルギーまたは温度差気流を通して、エアポンプを駆動することによって構成されることを含み、
以上によって、中間貯熱体を持つ自然の熱エネルギーを均等温度で給気するシステムの主な構造が構成され、システムは更なるニーズによって下記の補助関連装置の設置が選択され、新鮮な空気の入口及び出口にニーズによって有害ガス検知器の設置が選択され、或いは、更なるニーズによって浄化機能を持つろ過装置、流量調節装置、有害ガス検知器、温度測定装置、流量計の設置が選択され、或いは、更なるニーズによって有益なガス或いは芳香ガス供給添加装置の設置が選択され、或いは、ニーズによって調節補助装置、調湿装置、排水装置の設置を含み、補助関連装置は下記を含み、
ろ過装置（１０６）は取り外し可能なきれいな気流ろ過構造によって構成され、例えば、活性炭ろ過器を空気の吸入口或いは出口に設置することによって、配管閉塞を防止し、及び簡単に掃除可能であり、除塵フィルター及び有害ガスのろ過装置の中に活性炭などを含むろ過装置によって構成されることを含み、本装置はニーズによって設置を選択可能であり、
流量調節装置（１０７）はニーズによって人工或いは機械力で新鮮な空気の放出量の大小を制御または調整し、調節装置はポンプの圧送気流流量を調節する調節装置或いは気流の出口にあるガス流量の大小を調節するバルブまたはゲート装置によって構成され、本装置はニーズによって設置を選択可能であり、
有害ガス検知器（１０８１）は気流の吸入口或いは出口に設置され、温度が調節される空間の人体、動物、植物などの生物或いは物品に対して有害ガスを検査測定し、メッセージを送信し、本項の装置はニーズによって設置或いは設置しないを選択可能であり、
温度測定装置（１０８２）は温度が調節される空間に設置され、温度を検査測定し、或いは、気流の入口或いは出口に設置され、温度を検査測定し、メッセージを送信し、本項の装置はニーズによって設置或いは設置しないを選択可能であり、
流量計（１０８３）は新鮮な空気流量を累積計算して、計量を記録及び表示し、及びメッセージを送信することによって、流量を制御し、或いは、費用計算や統計管理の参考にし、本装置はニーズによって設置或いは設置しないを選択可能であり、
ガス或いは微粉粒状物質添加装置（１０８４）は人工操作或いは機械力或いは電気エネルギーの信号によって制御され、温度が調節される空間に対して人体、動物、植物に有益なガス物体を送り込み、或いは、気流によって運ばれる微粉粒体や霧状液体を送り込み、或いは、物品保護に有利なガス物体または微粉粒体や霧状液体を送り込み、或いは、匂いが分かるガス物体或いは微粉粒体或いは霧状液体を送り込む添加装置によって構成され、本項の装置は気流の入口端または第一流体導管（１０２）または温度均等装置（１０１）または第二流体導管（１０３）または気流の出口端または温度が調節される空間の内部或いは外部に設置され、本項の装置はニーズによって設置或いは設置しないを選択可能であり、
調節補助装置（１０９）は、温度均等装置（１０１）の温度がニーズを満足不可能な場合、温度均等装置（１０１）の出口から第二流体導管（１０３）を経て、温度が調節される空間の出口端までの流路に調節補助装置（１０９）が追加設置され、或いは、温度が調節される空間に調節補助装置（１０９）が追加設置されることによって、温度が調節される空間に入る気流に対して昇温或いは降温の補助調節を行うことが可能であり、調節補助装置（１０９）は加熱機能の補助加温装置或いは降温機能の冷却装置或いは二種類の機能を持つ温度調節装置によって構成されることを含み、本装置はニーズによって設置或いは設置しないを選択可能であり、
調湿装置（１０９０）は第一流体導管（１０２）或いは第二流体導管（１０３）によって構成される気流配管の内部或いは温度均等装置（１０１）の内部に吸湿物質の塗装を選択する以外に、更に湿度を除去、減少、増加する調湿機能装置（１０９０）が設置され、人工操作或いは湿度の検査測定、設定を通して、自動的に湿度を制御し、本装置はニーズによって設置或いは設置しないを選択可能であり、
排水装置（１０９１）は第一流体導管（１０２）或いは第二流体導管（１０３）によって構成された気流配管の内部の水溜まり或いは温度均等装置（１０１）の内部にある水溜まりを抽出するポンプ及び導水管などの装置によって構成され、本装置はニーズによって設置或いは設置しないを選択可能であり、
制御ユニット（１０８）は機電装置、電子回路装置、マイクロプロセッサ、ソフトウェア関連、インターフェイス操作回路によって構成され、システムが温度調節される空間に対して温度調整を制御し、及び送気機能を作動する以外に、ニーズによって下記の一種或いは一種以上の機能増加を含み、１．安全保護制御機能は入力側或いは各出力口に設置される有害ガス検知器（１０８１）と連結し、有害ガスが存在しかつ監視値を超えるとき、警報を送信し、及び気流を切断し、或いは、その他応変な処理を行い、有害ガス検知器が入力及び出力口側に設置され、空間内の有害ガスを偵側可能であり、２．温度測定装置（１０８２）及び新鮮な空気流量の計量の記録及び表示機能がある流量計（１０８３）と連結し、ポンプ装置（１０４）、流量調節装置（１０７）、調節補助装置（１０９）を制御し、温度が調節される空間に対して温度調整及び吸気流量を制御し、３．ガス添加装置（１０８４）を制御し、温度が調節される空間の人体、動物、植物に対して有益なガスを添加し、或いは、気流によって微小粉粒物体のヘルスケア品或いは薬品を運び、或いは、物品保護に対して有利なガスまたは微小粉粒物体または嗅覚を刺激するガスを添加し、４．調湿装置（１０９０）を制御し、入口の気流或いは輸送流体の第一流体導管（１０２）、温度均等装置（１０１）、第二流体導管（１０３）、排出気流、温度が調節される空間の湿度を調節し、５．排水装置（１０９１）を制御し、第一流体導管（１０２）、温度均等装置（１０１）、第二流体導管（１０３）の水溜まりを排除し、本装置はニーズによって設置或いは設置しないを選択可能であることを特徴とする自然の熱エネルギーを利用した給気システム。
【請求項２】
すでに伝統的な温度調節装置を設置した温度が調節される空間と外部との温度差環境の間に設置され、漸進的な温度差隔離を構成可能であり、それは下記を含み、
温度が調節される空間の需要温度は温度均等装置（１０１）によって温度を調節してから、更に温度が調節される空間に入る気流の温度より高く、しかし、気流の温度均等装置（１０１）を経た後の温度が入口の気流の温度より高いとき、本項のシステムは気流に対して予熱機能を提供可能であり、或いは、
温度が調節される空間の需要温度は温度均等装置（１０１）によって温度を調節してから、更に温度が調節される空間に入る空気の温度より低く、しかし、温度均等装置（１０１）を経た後の新鮮空気の温度が入口の気流の温度より低いとき、本項のシステムは気流に対して予冷機能を提供可能であることを特徴とする請求項１に記載の自然の熱エネルギーを利用した給気システムテム。
【請求項３】
温度が調節される空間に建物の内部或いは室内を選択する場合、室外から建物の内部に対して新鮮な気流を送り込むとき、温度が調節される空間の内部は外部に対して正圧を形成し、空気を排出するので、外部粉塵及び汚染空気は温度が調節される空間の内部に逆流しにくい機能があることを特徴とする請求項１に記載の自然の熱エネルギーを利用した給気システム。
【請求項４】
温度が調節される空間に都市の中の開放空間を選択する場合、都市外部から都市の中の開放空間に対して新鮮な気流を送り込むとき、温度調節及び新鮮な空気を供給可能である上に、都市全体に対して外部に向かって拡散する正圧の気流を形成するので、特に盆地地形に位置する都市に対して常に高層気流の停滞現象或いはサンドストームなどを形成するので、空気品質の悪化現象を改善する機能があることを特徴とする請求項１に記載の自然の熱エネルギーを利用した給気システム。
【請求項５】
選択された温度が調節される空間と第一流体導管（１０２）の気流の入口端の外部周辺とが異なる気候形態に属する場合、温度調節可能である上に、気流の供給を通して気候を微調整可能であることを特徴とする請求項１に記載の自然の熱エネルギーを利用した給気システム。
【請求項６】
温度が調節される空間に家屋空間、倉庫空間、植物植栽或いは栽培、動物養殖、水産の室内空間或いは半密閉空間或いは開放区域を選択するとき、温度調節が可能である上に、気流の供給を通して、人体、動物、植物に有益なガス物体を送り込み、或いは、気流によって運ばれる微粉粒体や霧状物体を送り込み、或いは、物品保護に有利なガス物体や微粉粒体または気流によって運ばれる微粉粒体や霧状液体を送り込み、或いは、匂いが分かるガス物体或いは微粉粒体や霧状液体を送り込むことが可能であることを特徴とする請求項１に記載の自然の熱エネルギーを利用した給気システム。
【請求項７】
システムの構造形態は下記を含み、
新鮮な空気が圧動されて、海洋、湖、池、河川、人工池に埋設、沈置、ぶら下がり、漂う中間貯熱体（１０００）に覆われる温度均等装置（１０１）を流れ通って、船室或いはその他設備に対して新鮮な空気を供給し、及び温度を調節することを特徴とする請求項１に記載の自然の熱エネルギーを利用した給気システム。
【請求項８】
システムの構造形態は下記を含み、
新鮮な空気が圧動されて、地下に埋め、或いは、海洋、湖、池、河川、人工池に沈置、ぶら下がり、漂う中間貯熱体（１０００）に覆われる温度均等装置（１０１）を流れ通って、陸上の建築空間に対して新鮮な空気を供給し、及び温度を調節することを特徴とする請求項１に記載の自然の熱エネルギーを利用した給気システム。
【請求項９】
システムの構造形態は下記を含み、
新鮮な空気が圧動されて、地層に埋設される中間貯熱体（１０００）に覆われる温度均等装置（１０１）を流れ通って、陸上の建築空間に対して新鮮な空気を供給し、及び温度を調節することを特徴とする請求項１に記載の自然の熱エネルギーを利用した給気システム。
【請求項１０】
一種の中間貯熱体の自然の熱エネルギーを均等温度で給気するシステムは、自然の熱マトリックスの熱エネルギーを通して、間接に温度が調節される空間へ伝送される気流に対して温度を調節する方式を採用し、室内或いは室外空間に対して温度を調節可能であり、その主な構成は下記を含み、
能動温度均等装置（２０１）は内部にあるシングルサーキット或いはマルチサーキットを並列接続する流体通路の導熱体によって構成され、一個或いは数個の能動温度均等装置（２０１）が設置され、直列接続、並列接続、直並列接続することが選択され、中間貯熱体（１０００）の中に設置され、或いは、同一構造または隣接結合し、中間貯熱体（１０００）が能動温度均等装置（２０１）と自然の熱マトリックス（１００）との間に設置され、能動温度均等装置（２０１）は良い熱伝導係数の材料によって構成され、内外の吸熱と放熱面は平滑面または特定な交錯状または特定な湾曲曲線状構造によって構成され、或いは、良い熱伝導係数の材料によって構成され、直線または湾曲曲線状の管状流体導管構造によって能動温度均等装置（２０１）の機能が構成され、及びニーズによって能動温度均等装置（２０１）の外部に外部に向かって延伸する翼状或いは柱状の導熱構造が設置され、或いは、内部に内部に向かって延伸する翼状或いは柱状の導熱構造が設置され、吸熱及び放熱効果を高め、能動温度均等装置（２０１）は少なくとも一つの入口及び少なくとも一つの出口を持ち、熱エネルギー流体輸送配管（２０２）と接続し、熱エネルギー輸送流体（２０３）を圧動する流体ポンプ（２０４）を通して、熱エネルギー輸送流体（２０３）の循環は能動温度均等装置（２０１）と受動温度均等体（２０５）との間を流れ、熱エネルギーを輸送し、
中間貯熱体（１０００）は能動温度均等装置（２０１）及び外部の自然の熱マトリックス（１００）と異なる材料によって構成され、少なくとも一個の中間貯熱体（１０００）を通して、能動温度均等装置（２０１）と同一構造体をなし、同一構造または組立てまたは隣接して設置され、或いは、一個または数個を直列または並列または直並列に接続する能動温度均等装置（２０１）の周辺と外部の自然の熱マトリックス（１００）との間に充填されることを含み、能動温度均等装置（２０１）と中間貯熱体（１０００）の同一構造体が二個或いは二個以上であるとき、自然の熱マトリックスの中に分散設置され、自然の熱マトリックス（１００）は自然界のより大きくかつ安定な貯熱容量を持つ地層、地表、池、湖、河川、砂漠、氷山、海洋などの固体或いは液体貯熱体によって構成され、中間貯熱体（１０００）の構成材料の熱伝導係数及び／或いは単位熱容量比の二者或いはその中の一つは中間貯熱体（１０００）の外部の自然の熱マトリックス（１００）より優れていて、中間貯熱体（１０００）は固体または膠状または液体またはガス貯熱材料物体によって構成されることを含み、直接に自然の熱マトリックス（１００）の間に設置され、或いは、選択した貯熱物質の材料性質に合わせてまたは構造のニーズ、環境保全のニーズ、更なるニーズによって貯熱物体の外部に設置することが選択され、良い熱伝導係数である材料によって構成される容器状のケースボディー構造或いは良い熱伝導係数の材料によって網状または柵状または多孔状隔離構造が構成されることによって、中間貯熱体（１０００）と自然の熱マトリックス（１００）の相対的な空間的位置関係を制限や隔離し、熱伝導を高め、貯熱物質と自然の熱マトリックス（１００）と能動温度均等装置（２０１）との間の熱伝導面は平滑面または特定な交錯状または外部に向かって輻射延伸する翼状或いは柱状構造であることによって熱伝導効果を高め、中間貯熱体が持っているより良い熱伝導係数及び／或いはより良い単位熱容量比の特性を通して、周辺の安定温度である自然の熱マトリックス（１００）の熱エネルギーを吸収し、中間貯熱体はより大きい熱容量の熱エネルギーを貯蔵することによって、同じ単位時間と同じ温度差条件において、能動温度均等装置（２０１）に対してより大きい熱エネルギーを伝送し、
熱エネルギー流体輸送配管（２０２）はクローズドループ配管で、内部に熱エネルギー輸送流体（２０３）が詰め込まれ、流体ポンプ（２０４）に圧動され、中間貯熱体（１０００）に設置されている能動温度均等装置（２０１）と受動温度均等体（２０５）との間で循環し、熱エネルギーを伝送し、
熱エネルギー輸送流体（２０３）は流体ポンプ（２０４）を通して圧動され、熱エネルギー流体輸送配管（２０２）の中で流れて循環し、中間貯熱体（１０００）に設置されている能動温度均等装置（２０１）を流れ通って、中間貯熱体（１０００）の熱エネルギーを熱エネルギー輸送流体（２０３）を経て、受動温度均等体（２０５）へ伝送し、熱エネルギー輸送流体（２０３）は通常、水または油またはその他液体または空気またはその他貯熱量がより大きい液体またはガスが採用され、熱エネルギー輸送流体（２０３）が構成され、
流体ポンプ（２０４）は電力或いはその他機械力によって各種流体ポンプを駆動し、一段或いは一段以上の流体ポンプ（２０４）によって構成され、増圧圧送を行い、熱エネルギー輸送流体（２０３）を能動圧送し、熱エネルギー流体輸送配管（２０２）の中での流動を含み、
受動温度均等体（２０５）はシステムに少なくとも一個が設置され、中間貯熱体（１０００）に設置されている能動温度均等装置（２０１）からの熱エネルギーを熱エネルギー流体輸送配管（２０２）の内部の熱エネルギー輸送流体（２０３）を経て輸送し、受動温度均等体（２０５）の設置方式はニーズによって一個が設置され、或いは、二個または二個以上の受動温度均等体（２０５）が設置され、受動温度均等体（２０５）の熱エネルギー流体輸送配管（２０２）を直列接続または並列接続または直並列接続し、受動温度均等体（２０５）は下記の位置を選択して設置可能であり、それは下記を含み、１．受動温度均等体（２０５）が室内空間または半密閉空間または開放区域によって構成される温度が調節される空間に設置され、熱エネルギーを温度が調節される空間へ放出し、冷却或いは加熱を行い、受動温度均等体（２０５）の外部には平滑面或いはニーズによって翼状構造が設置され、或いは、更なるニーズによって気流を送る扇風機の設置が選択され、或いは、２．受動温度均等体（２０５）が温度が調節される空間を構成する構造体の内部、例えば、壁、柱、梁、床、地中浅層、屋上内部に設置され、閉路循環の熱エネルギー輸送流体（２０３）から輸送される熱エネルギーを受け、冷却或いは加熱を行い、或いは、３．受動温度均等体（２０５）とエアコン装置の散熱器を熱伝導の同一構造にし、温度を均等に冷却或いは加熱し、或いは、４．受動温度均等体（２０５）と気流或いは液流の熱交換器を熱伝導の同一構造にし、温度均等冷却或いは加熱を行い、或いは、５．受動温度均等体（２０５）と気流或いは液流に対して熱回収換気装置を熱伝導の同一構造にし、温度を均等に冷却或いは加熱し、或いは、６．受動温度均等体（２０５）が設定温度範囲で作動する機械工具、例えば、機械または生産設備或いは内燃または外燃エンジン或いは変圧器または回転電機或いは貯電装置などの構造体に設置され、或いは、熱エネルギー輸送流体（２０３）を導入して前記機械工具の調温配管に設置し、受動温度均等体（２０５）と機械工具を同一構造にし、熱エネルギー輸送流体（２０３）を通過し、温度を均等に冷却或いは加熱し、
ろ過装置（２０６）は取り外し可能なきれいな熱エネルギー輸送流体（２０３）のろ過構造によって構成され、配管閉塞を防止し、及び簡単に掃除可能であり、ニーズによって閉路循環の熱エネルギー流体輸送配管（２０２）の中の任意位置、例えば、吸入口或いは出口或いは中間或いは多箇所に設置可能であり、本項の装置はニーズによって設置或いは設置しないを選択可能であり、
流量調節装置（２０７）はニーズによって人工或いは機械力で熱エネルギー輸送流体（２０３）の流量の大小を制御、調整し、その調節方式はシステムが流体の閉路循環式であれば、直列接続を通して制御し、或いは、並列接続の分流制御の方式で流量調節装置（２０７）の流量を制御し、更に受動温度均等体の熱エネルギー輸送流体（２０３）を流れ通る流量を調節し、温度が調節される空間への輸送或いは温度が調節される空間を構成する構造体内の受動温度均等体（２０５）に流れる熱エネルギー輸送流体（２０３）の流量を変更させ、受動温度均等体（２０５）の熱エネルギーを制御し、受動温度均等体（２０５）の本体に流体ポンプ（２０４）を配置するときも、配置した流体ポンプ（２０４）の圧動量を通して、放出熱エネルギーを調節し、本項の装置はニーズによって設置或いは設置しないを選択可能であり、
温度測定装置（１０８２）は温度が調節される空間に設置され、温度を検査測定し、或いは、気流の入口或いは出口に設置され、温度を検査測定し、メッセージを送信し、本項の装置はニーズによって設置或いは設置しないを選択可能であり、
調節補助装置（２０９）は能動温度均等装置（２０１）の温度がニーズを満足不可能な場合、温度が調節される空間に調節補助装置（２０９）が追加設置され、中間貯熱体（１０００）から熱エネルギー輸送流体（２０３）を通して、受動温度均等体（２０５）から出力の熱エネルギーへ伝送し、更に伝統的な燃焼或いは電熱或いはソーラーエネルギーなどの加温装置によって構成される調節補助装置へ入力して昇温し、或いは、更に伝統的な降温調節装置によって構成される調節補助装置へ入力して降温することを含み、本項の装置はニーズによって設置或いは設置しないを選択可能であり、
制御ユニット（２０８）は機電装置、電子回路装置、マイクロプロセッサ、ソフトウェア関連、インターフェイス操作回路によって構成され、人工或いは電力或いは機械力の操作で温度が調節される空間或いは温度が調節される構造体に設置されている温度測定装置及び自然の熱マトリックス（１００）に設置されている温度測定装置（１０８２）の信号を制御することによって、流体ポンプ（２０４）と流量調節装置（２０７）の作動を制御することを含み、本項の装置はニーズによって設置或いは設置しないを選択可能であることを特徴とする自然の熱エネルギーを利用した給気システム。
【請求項１１】
システム構成方式は下記を含み、
中間貯熱体（１０００）は埋設、沈置、ぶら下がり、或いは、海洋、湖、池、河川、人工池に漂い、能動温度均等装置（２０１）が中間貯熱体（１０００）の中に設置され、或いは、同一構造の結合または隣接結合し、能動温度均等装置（２０１）の流体の入口端と出口端に熱エネルギー流体輸送配管（２０２）が設置され、陸上建物の本体構造または建物内部空間または外部空間または地表の受動温度均等体（２０５）まで延伸し、閉路回路が構成され、流体ポンプ（２０４）によって圧動される熱エネルギー輸送流体（２０３）を通して、陸上建物の本体構造または建物内部空間または外部空間または地表の受動温度均等体（２０５）に対して閉路の温度調節をすることを特徴とする請求項１０に記載の自然の熱エネルギーを利用した給気システム。
【請求項１２】
システム構成方式は下記を含み、
地層に埋設されている中間貯熱体（１０００）によって能動温度均等装置（２０１）を覆い、或いは、同一構造の結合或いは隣接結合をし、能動温度均等装置（２０１）の流体の入口端と出口端に熱エネルギー流体輸送配管（２０２）が設置され、陸上建物の本体構造或いは建物内部空間或いは外部空間或いは地表の受動温度均等体（２０５）まで延伸し、閉路回路が構成され、流体ポンプ（２０４）によって圧動される熱エネルギー輸送流体（２０３）を通して、陸上建物の本体構造または建物内部空間または開放的な外部空間または地表の受動温度均等体（２０５）に対して閉路の温度調節をすることを特徴とする請求項１０に記載の自然の熱エネルギーを利用した給気システム。
【請求項１３】
中間貯熱体（１０００）に自然の熱マトリックス（１００）と温度均等装置（１０１）或いは能動温度均等装置（２０１）を設置する構造例は下記を含み、
固体或いは膠状物質によって構成されている中間貯熱体（１０００）であり、固体或いは膠状物質によって構成されている中間貯熱体（１０００）は良好の熱伝導係数及び／或いはより高い単位熱容量比を持ち、二者或いはその中の一つは外部に安定温度である自然の熱マトリックスより優れていて、自然の熱マトリックス（１００）と温度均等装置（１０１）或いは能動温度均等装置（２０１）との間に設置され、或いは、
密閉可能なケースボディー（１００１）の中に液体またはガスまたは膠状または固体物質を置き、中間貯熱体（１０００）が構成され、密閉可能なケースボディー（１００１）の中で液体またはガスまたは膠状または固体物質によって構成されている中間貯熱体（１０００）は良好の熱伝導係数及び／或いはより高い単位熱容量比を持ち、二者或いはその中の一つは外部に安定温度である自然の熱マトリックス（１００）より優れていて、自然の熱マトリックス（１００）と温度均等装置（１０１）或いは能動温度均等装置（２０１）との間に設置され、密閉可能なケースボディー（１００１）は密閉構造或いは開閉可能な封蓋構造を設置することによって構成され、
密閉可能なケースボディー（１００１）はニーズによって良好の熱伝導係数を持つ材料によって構成されることが選択され、或いは、建物によって構成され、或いは、熱伝導係数を特定選択せず、或いは、
上に向かって開放する槽状のケースボディー（１００２）の中に液体または膠状または固体物質を置き、中間貯熱体（１０００）が構成され、上に向かって開放する槽状のケースボディー（１００２）の中に液体または膠状または固体物質を置き、構成される中間貯熱体（１０００）は良好の熱伝導係数及び／或いはより高い単位熱容量比を持ち、二者或いはその中の一つは外部に安定温度である自然の熱マトリックス（１００）より優れていて、自然の熱マトリックス（１００）と温度均等装置（１０１）或いは能動温度均等装置（２０１）との間に設置され、
上に向かって開放する槽状のケースボディー（１００２）はニーズによって良い熱伝導係数を持つ材料によって構成されることが選択され、或いは、建物によって構成され、或いは、熱伝導係数を特に選択せず、或いは、
多顆粒状或いは多塊状固体によって中間貯熱体（１０００）が構成され、多顆粒状或いは多塊状固体によって構成される中間貯熱体（１０００）は良好の熱伝導係数及びより高い単位熱容量比を持ち、二者或いはその中の一つは外部に安定温度である自然の熱マトリックス（１００）より優れていて、自然の熱マトリックス（１００）と温度均等装置（１０１）或いは能動温度均等装置（２０１）との間に設置され、或いは、
網状構造（１００３）で多顆粒状或いは多塊状固体を覆うことによって、中間貯熱体（１０００）が構成され、網状構造（１００３）で多顆粒状或いは多塊状固体を覆うことによって構成されている中間貯熱体（１０００）は良好の熱伝導係数及び／或いはより高い単位熱容量比を持ち、二者の特性は全てその中の一つが外部に安定温度である自然の熱マトリックス（１００）より優れていて、自然の熱マトリックス（１００）と温度均等装置（１０１）或いは能動温度均等装置（２０１）との間に設置され、網状構造の構成材料はニーズによって良い熱伝導係数の材料によって構成されることが選択され、或いは、建物によって構成され、或いは、熱伝導係数を特に選択せず、或いは、
多孔状構造（１００４）で多顆粒状或いは多塊状固体を覆うことによって、中間貯熱体（１０００）が構成され、多孔状構造（１００４）で多顆粒状或いは多塊状固体を覆うことによって構成されている中間貯熱体（１０００）は良好の熱伝導係数及びより高い単位熱容量比を持ち、二者或いはその中の一つは外部に安定温度である自然の熱マトリックス（１００）より優れていて、自然の熱マトリックス（１００）と温度均等装置（１０１）或いは能動温度均等装置（２０１）との間に設置され、多孔状構造の構成材料はニーズによって良い熱伝導係数の材料によって構成されることが選択され、或いは、建物によって構成され、或いは、熱伝導係数を特に選択せず、或いは、
柵状構造（１００５）で多顆粒状或いは多塊状構造を覆うことによって、中間貯熱体（１０００）が構成され、柵状構造（１００５）で多顆粒状或いは多塊状構造を覆うことによって構成されている中間貯熱体（１０００）は良好の熱伝導係数及びより高い単位熱容量比を持ち、二者或いはその中の一つは外部に安定温度である自然の熱マトリックス（１００）より優れていて、自然の熱マトリックス（１００）と温度均等装置（１０１）或いは能動温度均等装置（２０１）との間に設置され、柵状構造の構成材料はニーズによって良い熱伝導係数の材料によって構成されることが選択され、或いは、建物によって構成され、或いは、熱伝導係数を特に選択せず、
上述の各種中間貯熱体の構成及び設置方式は説明するために例を挙げただけで、本発明の応用方式を制限することではなく、その他全ての本発明で発表した自然の熱マトリックスと両端に別々に第一導管が設置されている温度均等体との間に革新的に中間貯熱体を設置し、中間貯熱体は良好の熱伝導係数及び／或いはより高い単位熱容量比を持ち、二者の特性が全て外部に安定温度である自然の熱マトリックスより優れている各種中間貯熱体の構成及び設置方式である場合は、全て本発明の範囲に属することを特徴とする請求項１或いは請求項１０に記載の自然の熱エネルギーを利用した給気システム。
【請求項１４】
密閉可能なケースボディー（１００１）は、更に少なくとも一個の流体流入配管（１１１）が設置され、及び少なくとも一個の流体流出配管（１１２）が設置され、流体を流入及び流出させ、密閉可能なケースボディー（１００１）の中の流体は例えば、水道水からの水流或いはその他給水システムの水流或いは自然水源の水流を連続して更換することにより、温度差を維持することを特徴とする請求項１３に記載の自然の熱エネルギーを利用した給気システム。
【請求項１５】
上に向かって開放する槽状のケースボディー（１００２）は、更に少なくとも一個の流体流入水路（１１３）と流体流入配管（１１１）の二者或いはその中の一つが設置され、及び少なくとも一個の流体流出水路（１１４）と流体流出配管（１１２）の二者或いはその中の一つが設置され、流体を流入及び流出させ、上に向かって開放する槽状のケースボディー（１００２）の中の流体は例えば、水道水からの水流或いはその他給水システムの水流或いは自然水源の水流を連続して更換することにより、温度差を維持することを特徴とする請求項１３に記載の自然の熱エネルギーを利用した給気システム。
【請求項１６】
密閉可能なケースボディー（１００１）或いは上に向かって開放する槽状のケースボディー（１００２）は、ニーズによって流体流入配管（１１１）或いは流体流出配管（１１２）或いは流体流入水路（１１３）或いは流体流出水路（１１４）に応用管理と制御に合わせて下記の一種或いは一種以上の補助装置が設置され、それは下記を含み、
１．流体ポンプ（２０４）が設置され、流体を能動圧送することによって、流体を流動させるために、自然流体の流動エネルギーに協力し、或いは、取り代わり、
２．ろ過装置（２０６）が設置され、流体をろ過し、ろ過装置は固定式であり、または、更に制御ユニット（３０８）で制御され、
３．流量調節装置（２０７）が設置され、流量を調節し、
４．流量計（２０８３）が設置され、流量計（２０８３）が地層中、地下、地表に設置され、通過する流体の流量を測定し、
５．制御ユニット（３０８）が設置され、制御ユニット（３０８）は機電装置、電子回路装置、マイクロプロセッサ、ソフトウェア関連、インターフェイス操作回路によって構成され、人工操作または電力または機械力の制御を含み、流体ポンプ（２０４）、ろ過装置（２０６）、流量調節装置（２０７）、流量計（２０８３）の作動を制御し、及びニーズによって流量計（２０８３）の流量を表示することを特徴とする請求項１４または請求項１５に記載の自然の熱エネルギーを利用した給気システム。
【請求項１７】
更に中間貯熱体（１０００）と自然の熱マトリックス（１００）との間に平面指向または立体指向または垂直指向の輻射状導熱補助装置（２０００）が設置され、その設置方式は下記を含み、
輻射状導熱補助装置（２０００）は良い熱伝導係数を持つ材料によって構成され、平面指向または立体指向または垂直指向の輻射状の少なくとも一個の柱状または片状または翼状に延伸する導熱装置であって、その構造は中が詰まった或いは中空構造で、中に導熱充填物を含むことによって構成され、或いは、ヒートパイプ構造によって構成され、中間貯熱体（１０００）と自然の熱マトリックス（１００）との間にある輻射状導熱補助装置（２０００）に設置されていることを特徴とする請求項１或いは請求項１２に記載の自然の熱エネルギーを利用した給気システム。
【請求項１８】
輻射状導熱補助装置（２０００）は、更に中空構造で中に導熱充填物を含み、或いは、ヒートパイプに取換え、中空構造で中に導熱充填物を含み、或いは、ヒートパイプによって構成されている輻射状導熱補助装置（２０００）の設置方式は下記の通りであり、
中間貯熱体（１０００）が直接に自然の熱マトリックス（１００）と温度均等装置（１０１）との間に設置される場合、中空構造の中に導熱充填物或いはヒートパイプ構造を含む輻射状導熱補助装置（２００１）は平面指向または立体指向または垂直指向になって、中間貯熱体（１０００）と自然の熱マトリックス（１００）との間に延伸して設置され、平面指向または立体指向または垂直指向になって、中間貯熱体（１０００）及び自然の熱マトリックス（１００）の内部まで延伸することによって、熱エネルギー輸送効果を高め、
中間貯熱体（１０００）が良い熱伝導係数を持つ容器状のケースボディー構造或いは良い熱伝導係数を持つ網状隔離構造或いは柵状隔離構造或いは多孔状隔離構造に設置される場合、中空構造の中に導熱充填物或いはヒートパイプを含む構造によって構成されている輻射状導熱補助装置（２００１）は良い熱伝導係数を持つ容器状のケースボディー構造と結合し、或いは、良い熱伝導係数を持つ網状或いは柵状或いは多孔状隔離構造と結合し、中間貯熱体（１０００）に向かい、及び自然の熱マトリックス（１００）に向かう二者或いはその中の一つは平面指向または立体指向または垂直指向になって、中空構造の中に導熱充填物或いはヒートパイプを含む構造によって構成されている輻射状導熱補助装置（２００１）が設置されていることによって、熱伝導効果を高めることを特徴とする請求項１７に記載の自然の熱エネルギーを利用した給気システム。
【請求項１９】
一種の温度均等装置及び中間貯熱体の同一構造の装置の温度均等装置（１０１）は、内部にあるシングルサーキット或いはマルチサーキットを並列に接続する流体通路の導熱体によって構成され、一個或いは多数個の温度均等装置（１０１）が設置され、直列または並列接続または直並列接続の選択が可能で、中間貯熱体（１０００）の中に設置され、或いは、同一構造または隣接結合することによって、自然の熱マトリックス（１００）が設置され、
温度均等装置（１０１）は良い熱伝導係数の材料によって構成され、内外の吸熱と放熱面は平滑面または特定な交錯状または特定な湾曲曲線状構造によって構成され、或いは、良い熱伝導係数の材料によって構成され、直線または湾曲曲線状の管状流体導管構造によって温度均等装置（１０１）が構成され、及びニーズによって温度均等装置（１０１）の外部に外部に向かって延伸する翼状或いは柱状の導熱構造の設置が選択され、或いは、内部に内部に向かって延伸する翼状或いは柱状の導熱構造が設置されていることによって、吸熱及び放熱効果を高め、温度均等装置（１０１）は少なくとも一つの入口及び少なくとも一つの出口を持ち、別々に第一流体導管（１０２）及び第二流体導管（１０３）と接続し、
少なくとも一個の中間貯熱体（１０００）は固体または膠状または液体またはガス貯熱材料物体によって構成されることを含み、温度均等装置（１０１）と同一構造または組立てまたは隣接して設置され、或いは、一個または数個の直列または並列または直並列に接続する温度均等装置（１０１）の周辺に充填され、中間貯熱体（１０００）の構成材料の熱伝導係数及び単位熱容量比は地層、地表、池、湖、河川、砂漠、氷山、海洋などに設置されている固体或いは液体の自然の熱マトリックス（１００）より優れており、
中間貯熱体（１０００）は直接に温度均等装置（１０１）に設置可能であり、或いは、選択使用する貯熱物質材料の性質に合わせて、または、構造のニーズ、環境保全のニーズ、更なるニーズによって中間貯熱体（１０００）の外部に良い熱伝導係数を持つ材料によって構成される容器状のケースボディー構造或いは良い熱伝導係数の材料によって網状または柵状または多孔状隔離構造の構成が選択され、中間貯熱体（１０００）と自然の熱マトリックス（１００）の相対的な空間的位置関係を制限や隔離し、
中間貯熱体（１０００）と自然の熱マトリックス（１００）と温度均等体との間の熱伝導面は平滑面または特定な交錯状または外部に向かって輻射延伸する翼状或いは柱状構造にすることが可能であり、熱伝導効果を高め、中間貯熱体はより良い熱伝導係数及び／或いはより良い単位熱容量比を持ち、二者或いはその中の一つは外部に安定温度である自然の熱マトリックス（１００）より優れていて、自然の熱マトリックス（１００）の熱エネルギーを吸収し、中間貯熱体（１０００）はより大きい熱容量の熱エネルギーを貯蔵することによって、同じ単位時間と同じ温度差条件において、温度均等装置（１０１）に対してより大きい熱エネルギーを伝送することを特徴とする自然の熱エネルギーを利用した給気システム。
【請求項２０】
一種の能動温度均等装置及び中間貯熱体の同一構造の装置の能動温度均等装置（２０１）は、内部にあるシングルサーキット或いはマルチサーキットを並列に接続する流体通路の導熱体によって構成され、一個或いは多数個の能動温度均等装置（２０１）が設置され、直列または並列接続または直並列接続の選択が可能で、中間貯熱体（１０００）の中に設置され、或いは、同一構造または隣接結合することによって、自然の熱マトリックス（１００）が設置され、
能動温度均等装置（２０１）は良い熱伝導係数を持つ材料によって構成され、内外の吸熱と放熱面は平滑面または特定な交錯状または特定な湾曲曲線状構造によって構成され、或いは、良い熱伝導係数の材料によって構成され、直線または湾曲曲線状の管状流体導管構造によって能動温度均等装置（２０１）が構成され、及びニーズによって能動温度均等装置（２０１）の外部に外部に向かって延伸する翼状或いは柱状の導熱構造の設置が選択され、或いは、内部に内部に向かって延伸する翼状或いは柱状の導熱構造が設置されることによって、吸熱及び放熱効果を高め、能動温度均等装置（２０１）は少なくとも一つの入口及び少なくとも一つの出口を持ち、別々に第一流体導管（１０２）及び第二流体導管（１０３）と接続し、
少なくとも一個の中間貯熱体（１０００）は固体または膠状または液体またはガス貯熱材料物体によって構成されることを含み、能動温度均等装置（２０１）と同一構造または組立てまたは隣接して設置され、或いは、一個または数個の直列または並列または直並列に接続する能動温度均等装置（２０１）の周辺に充填され、中間貯熱体（１０００）の構成材料の熱伝導係数及び単位熱容量比は地層、地表、池、湖、河川、砂漠、氷山、海洋などに設置されている固体或いは液体の自然の熱マトリックス（１００）より優れており、
中間貯熱体（１０００）は直接に能動温度均等装置（２０１）に設置可能であり、或いは、選択使用する貯熱物質材料の性質に合わせて、または、構造のニーズ、環境保全のニーズ、更なるニーズによって中間貯熱体（１０００）の外部に良い熱伝導係数を持つ材料によって構成される容器状のケースボディー構造或いは良い熱伝導係数の材料によって網状または柵状または多孔状隔離構造の構成が選択され、中間貯熱体（１０００）と自然の熱マトリックス（１００）の相対的な空間的位置関係を制限や隔離し、
中間貯熱体（１０００）と自然の熱マトリックス（１００）と温度均等体との間の熱伝導面は平滑面または特定な交錯状または外部に向かって輻射延伸する翼状或いは柱状構造にすることが可能であり、熱伝導効果を高め、中間貯熱体はより良い熱伝導係数及び／或いはより良い単位熱容量比を持ち、二者或いはその中の一つは外部に安定温度である自然の熱マトリックス（１００）より優れていて、その周りの安定温度である自然の熱マトリックス（１００）の熱エネルギーを吸収し、中間貯熱体（１０００）はより大きい熱容量の熱エネルギーを貯蔵することによって、同じ単位時間と同じ温度差条件において、能動温度均等装置（２０１）に対してより大きい熱エネルギーを伝送することを特徴とする自然の熱エネルギーを利用した給気システム。
【請求項２１】
一種のガス物質添加装置（１０８４）は、自然の熱エネルギーを利用した給気システムに応用可能である以外に、伝統的な中間貯熱体未設置の自然の熱エネルギーを均等温度で給気するシステムまたは一般養殖温室または貯蔵倉庫などの室内空間の給気するシステムへ応用可能であり、人体、動物、植物に有益なガス物体を送り込み、或いは、気流によって運ばれる微粉粒体や霧状液体を送り込み、或いは、物品保護に有利なガス物体または微粉粒体や霧状液体を送り込み、或いは、匂いが分かるガス物体或いは微粉粒体或いは霧状液体を送り込むことが可能であることを特徴とする自然の熱エネルギーを利用した給気システム。
【請求項２２】
自然の熱マトリックス（１００）或いは中間貯熱体（１０００）が液体或いはガス物体によって構成される場合、熱エネルギーの輸送効果を増進するために、更に流体撹拌ポンプ（２１４）が設置されることによって、自然の熱マトリックス（１００）が中間貯熱体（１０００）を流れ通るガス或いは液体を圧動することによって、自然の熱マトリックス（１００）と中間貯熱体（１０００）との間の熱エネルギーの輸送効果を増進し、或いは、流体撹拌ポンプ（２１４）を通して、中間貯熱体（１０００）を流れ通って温度均等装置（１０１）或いは能動温度均等装置（２０１）を流れ通るガス或いは液体物体を圧動することによって、中間貯熱体（１０００）が温度均等装置（１０１）に対して、或いは、能動温度均等装置（２０１）の熱エネルギーに対して輸送効果を増進することを特徴とする請求項１に記載の自然の熱エネルギーを利用した給気システム。
【請求項２３】
一種の流体撹拌ポンプ（２１４）の圧動を通して、ガス或いは液体物体によって自然の熱マトリックス（１００）を構成する方法は、中間貯熱体の自然の温度均等装置へ応用する以外に、よく使われる自然の熱マトリックス（１００）に直接設置される温度均等装置（１０１）へ応用可能であり、或いは、能動温度均等装置（２０１）のシステムの中でガス或いは液体物体によって自然の熱マトリックス（１００）が構成されるとき、自然の熱マトリックス（１００）に設置されている流体撹拌ポンプ（２１４）を通して、自然の熱マトリックス（１００）を流れ通る温度均等装置（１０１）或いは能動温度均等装置（２０１）を流れ通るガス或いは液体物流を圧動することによって、自然の熱マトリックス（１００）が温度均等装置（１０１）に対して、或いは、能動温度均等装置（２０１）に対して熱エネルギー輸送効果を高めることを特徴とする自然の熱エネルギーを利用した給気システム。
【発明の詳細な説明】
【技術分野】
【０００１】
本発明は、自然の熱エネルギーを利用した給気システムに関する。
【背景技術】
【０００２】
伝統的な室温調節システムでは、例えば、冷房のために動力で冷媒圧縮構造を駆動する能動型降温装置によって空間の温度を調節し、暖房のために電気エネルギー或いは物質の燃焼によって熱量を獲得して空間の温度を調節する。このため、長期間にエネルギーを大量に消費するだけではなく、大量の汚染及び廃熱と廃棄物が生じる。上述の欠点に対して、現在は、浅層地熱エネルギーのエアコンへの応用が増えている。
【発明の概要】
【発明が解決しようとする課題】
【０００３】
しかしながら、浅層地の熱伝導係数はやや低いため熱エネルギーの輸送は遅く、かつ浅層地の単位熱容量比はやや低いため短時間による大きい熱エネルギーの放出には不利である。このことから、浅層地熱エネルギーのエアコンへの応用は制限されてしまう。
本発明は上述した問題を解決するためになされたものであり、その目的は、大きい熱エネルギーを効率的に吸収及び放出できる自然の熱エネルギーを利用した給気システムを提供することにある。
【課題を解決するための手段】
【０００４】
本発明は、自然界の地層、地表、池、湖、河川などの安定温度を持つ自然の熱マトリックスを利用するエアコン応用システム或いは装置に対して、後述するように、両端に別々に流体導管が設置されている温度均等装置と自然の熱マトリックスとの間に中間貯熱体を設置するものである。
中間貯熱体は、良い熱伝導係数及びより高い単位熱容量比を持つものであり、二者或いはその中の一つはその外部に安定温度である自然の熱マトリックスより優れている。中間貯熱体は、固体または膠状または液体またはガスを含む物体によって構成されている。
【０００５】
本発明の自然の熱エネルギーを使用した給気システムは、自然の熱マトリックスと温度均等装置との間に上述の中間貯熱体を設置し、温度均等装置の両端に別々に設置された第一流体導管及び第二流体導管により気流を輸送し、温度均等装置を通して通過する気流に対して調温を行い、温度が調節される空間へ気流を輸送する。
中間貯熱体は、より良い熱伝導係数及びより高い単位熱容量比を有するため、周辺の安定温度である自然の熱マトリックスの熱エネルギーを吸収することができる。また、中間貯熱体は、より高い単位熱容量比を有するためより多い熱エネルギーを貯蔵し、より良い熱伝導係数を有するため、短時間に温度均等装置を経て、温度均等装置を通過するガスに対してより大きい熱エネルギーを有利に放出することができる。
結果として、本発明によると、温度が調節される空間は自然の熱マトリックスに近い熱エネルギーを得ることができる。
【図面の簡単な説明】
【０００６】
【図１】よく使われる気流輸送配管と自然の熱マトリックスとの間の温度均等作用を通して、通過する気流に対して温度を均等調節する構造を示す模式図である。
【図２】よく使われる自然の熱マトリックスと建物との間にある気流輸送配管を自然の熱マトリックスの中の温度均等装置と並列に接続する構造を示す模式図である。
【図３】本発明の一実施形態による自然の熱エネルギーを利用した給気システムを示す模式図である。
【図４】図３の実施形態の温度均等装置を中間貯熱体に設置する構造を示す模式図である。
【図５】図３の実施形態の温度均等装置の流体導管と中間貯熱体を直列に接続する構造を示す模式図である。
【図６】図３の実施形態の温度均等装置の流体導管と中間貯熱体を並列に接続する構造を示す模式図である。
【図７】図３の実施形態の温度均等装置の流体導管と中間貯熱体を直列に接続する構造を示す模式図である。
【図８】図３の実施形態の中間貯熱体と温度均等装置の同一構造体を自然の熱マトリックスに分散設置して流体導管を直列に接続する構造を示す模式図である。
【図９】図３の実施形態の中間貯熱体と温度均等装置の同一構造体を自然の熱マトリックスに分散設置して流体導管を並列接続する構造を示す模式図である。
【図１０】図３の実施形態の中間貯熱体と温度均等装置の同一構造体を自然の熱マトリックスに分散設置して流体導管を直並列接続する構造を示す模式図である。
【図１１】本発明の一実施形態による中間貯熱体を持つ自然の熱エネルギーを均等温度で給気する閉路式温度調節システムを示す模式図である。
【図１２】図１１の実施形態の能動温度均等装置を中間貯熱体に設置する構造を示す模式図である。
【図１３】図１１の実施形態の能動温度均等装置の流体導管を中間貯熱体に直列接続する構造を示す模式図である。
【図１４】図１１の実施形態の能動温度均等装置の流体導管を中間貯熱体に並列接続する構造を示す模式図である。
【図１５】図１１の実施形態の能動温度均等装置の流体導管を中間貯熱体に直並列接続する構造を示す模式図である。
【図１６】図１１の実施形態の中間貯熱体と能動温度均等装置の同一構造体を自然の熱マトリックスに分散設置して流体導管を直列接続する構造を示す模式図である。
【図１７】図１１の実施形態の中間貯熱体と能動温度均等装置の同一構造体を自然の熱マトリックスに分散設置して流体導管を並列接続する構造を示す模式図である。
【図１８】図１１の実施形態の中間貯熱体と能動温度均等装置の同一構造体を自然の熱マトリックスに分散設置して流体導管を直並列接続する構造を示す模式図である。
【図１９】図１１の実施形態の調節補助装置を追加設置する構造を示す模式図である。
【図２０】本発明の一実施形態による自然の熱エネルギーを利用した給気システムの中間貯熱体を自然の熱マトリックスと温度均等装置との間に設置する構造を示す模式図である。
【図２１】本発明の一実施形態による自然の熱エネルギーを利用した給気システムのケースボディーの中に中間貯熱体を構成して自然の熱マトリックスと温度均等装置との間に設置する構造を示す模式図である。
【図２２】図２１の実施形態の流体流入配管及び流体流出配管を設置する構造を示す模式図である。
【図２３】本発明の一実施形態による自然の熱エネルギーを利用した給気システムの開放槽の中に中間貯熱体を構成して自然の熱マトリックスと温度均等装置との間に設置する構造を示す模式図である。
【図２４】図２３の実施形態に設置する流体流入配管及び流体流出配管を示す模式図である。
【図２５】図２３の実施形態に設置する流体流入水路及び流体流出水路を示す模式図である。
【図２６】図２３の実施形態の同時に流体流入配管及び流体流入水路を設置する構造を示す模式図である。
【図２７】本発明の一実施形態による自然の熱エネルギーを利用した給気システムの中間貯熱体を自然の熱マトリックスと温度均等装置との間に設置する構造を示す模式図である。
【図２８】本発明の一実施形態による自然の熱エネルギーを利用した給気システムの中間貯熱体を自然の熱マトリックスと温度均等装置との間に設置する構造を示す模式図である。
【図２９】本発明の一実施形態による自然の熱エネルギーを利用した給気システムの中間貯熱体を自然の熱マトリックスと温度均等装置との間に設置する構造を示す模式図である。
【図３０】本発明の一実施形態による自然の熱エネルギーを利用した給気システムの中間貯熱体を自然の熱マトリックスと温度均等装置との間に設置する構造を示す模式図である。
【図３１】本発明の一実施形態による自然の熱エネルギーを利用した給気システムの中間貯熱体と自然の熱マトリックスとの間に輻射状導熱補助装置を設置する構造を示す模式図である。
【図３２】本発明の一実施形態による自然の熱エネルギーを利用した給気システムの中間貯熱体と自然の熱マトリックスとの間の中空構造の中に輻射状導熱補助装置が設置されている構造を示す模式図である。
【図３３】本発明の一実施形態による自然の熱エネルギーを利用した給気システムの中間貯熱体を自然の熱マトリックスと能動温度均等装置との間に設置する構造を示す模式図である。
【図３４】本発明の一実施形態による自然の熱エネルギーを利用した給気システムのケースボディーの中に中間貯熱体を構成して自然の熱マトリックスと能動温度均等装置との間に設置する構造を示す模式図である。
【図３５】図３４の実施形態の流体流入配管及び流体流出配管を示す模式図である。
【図３６】本発明の一実施形態による自然の熱エネルギーを利用した給気システムの開放槽の中に中間貯熱体を構成して自然の熱マトリックスと能動温度均等装置との間に設置する構造を示す模式図である。
【図３７】図３６の実施形態の流体流入配管及び流体流出配管を示す模式図である。
【図３８】図３６の実施形態の流体流入水路及び流体流出水路を示す模式図である。
【図３９】図３６の実施形態の流体流入配管、流体流入水路、流体流出配管及び流体流出水路を示す模式図である。
【図４０】本発明の一実施形態による自然の熱エネルギーを利用した給気システムの中間貯熱体を自然の熱マトリックスと能動温度均等装置との間に設置する構造を示す模式図である。
【図４１】本発明の一実施形態による自然の熱エネルギーを利用した給気システムの中間貯熱体を自然の熱マトリックスと能動温度均等装置との間に設置する構造を示す模式図である。
【図４２】本発明の一実施形態による自然の熱エネルギーを利用した給気システムの中間貯熱体を自然の熱マトリックスと能動温度均等装置との間に設置する構造を示す模式図である。
【図４３】本発明の一実施形態による自然の熱エネルギーを利用した給気システムの中間貯熱体を自然の熱マトリックスと能動温度均等装置との間に設置する構造を示す模式図である。
【図４４】本発明の一実施形態による自然の熱エネルギーを利用した給気システムの中間貯熱体と自然の熱マトリックスとの間に輻射状導熱補助装置を設置する構造を示す模式図である。
【図４５】本発明の一実施形態による自然の熱エネルギーを利用した給気システムの中間貯熱体と自然の熱マトリックスとの間の中空構造の中に輻射状導熱補助装置が設置されている構造を示す模式図である。
【図４６】図３の実施形態の中間貯熱体を自然の熱マトリックスに設置して温度均等装置に対して温度均等効果を形成する構造を示す模式図である。
【図４７】本発明の一実施形態による自然の熱エネルギーを利用した給気システムの中間貯熱体を自然の熱マトリックスに設置する構造を示す模式図である。
【図４８】本発明の一実施形態による自然の熱エネルギーを利用した給気システムの直接に温度均等装置を流体撹拌ポンプに設置して自然の熱マトリックスを構成する構造を示す模式図である。
【図４９】本発明の一実施形態による自然の熱エネルギーを利用した給気システムの直接に能動温度均等装置を流体撹拌ポンプに設置して自然の熱マトリックスを構成する構造を示す模式図である。
【発明を実施するための形態】
【０００７】
以下、本発明の一実施形態を図面に基づいて説明する。
（一実施形態）
周知の通り、地球の浅層地は、適切な深さにおいて、冬も夏も熱容量が大きく、地表温度にあまり影響されず安定温度を保つことができる浅層貯熱体を形成している。同様に、地表の海水、湖、河川は、一定深度において安定温度及び巨大な熱容量を持ち、上述の安定温度である自然の熱マトリックス１００の熱容量が膨大で、本発明の中で全部を自然の熱マトリックス１００と称す。自然の熱マトリックス１００の中で、例えば、川の底部は夏では殆ど２０℃を超えることがない。
【０００８】
地層深度３〜５メートルでは、夏は約１８℃で、夏の地表温度と比べると、相対的に低温状態である。高緯度地域では、冬になると、地表温度が零下数十度に下がっても、自然の熱マトリックス１００の温度は零度以下になることは殆どなく、水底では約１〜７℃、地層深度５メートルでは約９℃である。ゆえに、自然の熱マトリックス１００と建物との間に配管を設置し、新鮮な気流を伝送することがよく見られる。及び導熱材料で製造した気流輸送配管を通して、温度均等装置１０１を構成し、かつ自然の熱マトリックスとの間に温度均等作用を形成し、通過する気流が均等な温度に調節（図１に示す）されてから、更に温度が調節される空間に進入することによって、低コスト、低エネルギー消耗、低汚染で温度が調節される空間に対して温度調節及び給気するシステムを構成する。
【０００９】
また、よく見られる自然の熱マトリックス１００と建物との間に気流輸送配管を設置し、自然の熱マトリックス１００の中に翼状導熱構造を持つ温度均等装置１０１（図２に示す）を設置することによって、より良い温度均等調節効果を獲得する。しかし、図１及び図２に示す構造方式では下記に示す原因により熱エネルギー輸送能力が制限されてしまう。
【００１０】
１．周知の通り、同じ温度差と同じ単位時間において、自然の熱マトリックスが温度均等装置に対して輸送する熱エネルギーと輸送面積とは比例し、気流輸送配管或いは温度均等装置のサイズとコストとに関連する。このため、もし温度均等装置が大きくなると、コストが高くなり、もし温度均等装置が小さいと、自然の熱マトリックスとの接触面積が限られ、熱エネルギーの輸送は不利になる。
【００１１】
２．自然の熱マトリックスが貯蔵している総熱量は大きいが、熱伝導係数が小さいと、熱エネルギーの伝導が遅くなる。気流配管または温度均等装置を通過する気流流量がより大きくなるとき、配管或いは温度均等装置に近い自然の熱マトリックスの温度は、速やかに気流の温度に近づく。配管または温度均等装置から遠い熱エネルギーは熱エネルギーの伝導が遅く、充分な熱エネルギーの輸送を補足できないために、システムの調温作動効果が低くなる。
【００１２】
本発明の一実施形態による自然の熱エネルギーを利用した給気システムは、上述の欠点に対して革新的に設計を改善し、主に、自然の熱マトリックスと温度均等装置との間に中間貯熱体を設置する。中間貯熱体の熱伝導係数及び単位熱容量比の二者或いはその中の一つは、周辺の自然の熱マトリックスより優れている。中間貯熱体に設置する温度均等装置の気流の入口と出口に別々に気流輸送配管として給気する第一流体導管及び気流を送出する第二流体導管を設置する。第一流体導管から送り込む新鮮な気流は、温度均等装置を経て、均等な温度に調節されてから、更に第二流体導管を経て、温度が調節される空間へ送られ、温度が調節される空間内の気流と温度均等混合温度を調節された空間の温度に調節する。
【００１３】
気流の輸送はメインポンプで圧送し、或いは、分注ポンプで圧送することを選択する。中間貯熱体は自然の熱マトリックスと温度均等装置との間に設置し、中間貯熱体によって自然の熱マトリックスの熱エネルギーを吸収し、また、温度均等装置に対して釈熱する。このほかもし上述の気流輸送配管の第一流体導管及び第二流体導管の中間貯熱体に設置される長さが足りるとき、温度均等装置を省略し、良好導熱材料で上述の配管を製造し、中間貯熱体の設置によって均熱機能を構成する。中間貯熱体を増設することによって、自然の熱マトリックスとの間の熱輸送面積を拡大し、及び中間貯熱体の良い単位熱容量比及びより良い熱伝導係数を通して、自然の熱マトリックスからの熱エネルギーをより高い密度の中間貯熱体に貯蔵し、中間貯熱体に設置する気流導管或いは温度均等装置に対して熱エネルギーの輸送効果を高める。
【００１４】
本実施形態の革新的なシステムは、断続的な使用への応用が最適で、例えば、学校、事務室、パブリックスペース、家庭建築などの給気調温システムへ応用する。システムの使用を停止するとき、自然の熱マトリックスが遅く持続的に熱エネルギーを単位熱容量比及び熱伝導係数がより良い中間貯熱体へ輸送する。システムが作動するとき、中間貯熱体から温度均等装置に対して貯蔵累積した熱エネルギーを放出し、気流はより短時間で温度均等装置を通過し、速やかに温度を調節し、更に温度が調節される空間へ送られ、また、自然の熱マトリックスは持続して中間貯熱体へ熱エネルギーを輸送することにより、システムの熱エネルギーの提供効果を更に高める。
【００１５】
本実施形態を下記の通りに説明する。
図３に本発明の一実施形態による自然の熱エネルギーを利用した給気システムの模式図を示す。図３の主な構成は下記を含む。
温度均等装置１０１は、内部にあるシングルサーキット或いはマルチサーキットを並列に接続する流体通路の導熱体によって構成されている。一個或いは多数個の温度均等装置１０１を設置し、直列または並列接続または直並列接続の選択が可能である。中間貯熱体１０００の中に設置し、或いは、同一構造または隣接結合し、中間貯熱体１０００を温度均等装置１０１と自然の熱マトリックス１００との間に設置する。温度均等装置１０１は良い熱伝導係数の材料によって構成され、内外の吸熱と放熱面は平滑面または特定な交錯状または特定な湾曲曲線状構造によって構成され、或いは、良い熱伝導係数の材料によって構成されている。直線または湾曲曲線状の管状流体導管構造によって温度均等装置１０１を構成し、及びニーズによって温度均等装置１０１の外部に外部に向かって延伸する翼状或いは柱状の導熱構造の設置を選択し、或いは、内部に内部に向かって延伸する翼状或いは柱状の導熱構造を設置することによって、吸熱及び放熱の効果を高める。温度均等装置１０１は、少なくとも一つの入口及び少なくとも一つの出口を持ち、別々に第一流体導管１０２及び第二流体導管１０３と接続する。
【００１６】
図４に図３の実施形態の一個の温度均等装置１０１を一個の中間貯熱体１０００に設置する構造の模式図を示す。
図５に図３の実施形態の少なくとも二個の温度均等装置１０１の流体導管と一個の中間貯熱体１０００を直列に接続する構造の模式図を示す。
図６に図３の実施形態の少なくとも二個の温度均等装置１０１の流体導管と一個の中間貯熱体１０００を並列に接続する構造の模式図を示す。
【００１７】
図７に図３の実施形態の少なくとも三個の温度均等装置１０１の流体導管と一個の中間貯熱体１０００を直並列に接続する構造の模式図を示す。
第一流体導管１０２は、少なくとも一個の管状流体導管によって構成され、温度均等装置１０１の入口に接続し、空気を温度均等装置１０１へ輸送し、空気を自然の熱マトリックス１００の温度に近づける。前述の空気は第一流体導管１０２の入口端外部の周辺区域より供給する。
【００１８】
中間貯熱体１０００は、温度均等装置１０１及び外部の自然の熱マトリックスと異なる材料によって構成されている。少なくとも一個の中間貯熱体１０００を通して、温度均等装置１０１と同一構造体をなし、同一構造または組立てまたは隣接して設置し、或いは、一個または数個を直列または並列または直並列に接続する温度均等装置１０１の周辺と外部の自然の熱マトリックス１００との間に充填することを含む。温度均等装置１０１と中間貯熱体１０００の同一構造体が二個或いは二個以上であるとき、自然の熱マトリックス１００の中に分散設置する。
【００１９】
自然の熱マトリックス１００は、自然界のより大きくかつ安定な貯熱容量を持つ地層、地表、池、湖、河川、砂漠、氷山、海洋などの固体或いは液体貯熱体によって構成されている。中間貯熱体１０００の構成材料の熱伝導係数及び／或いは単位熱容量比の二者或いはその中の一つは、中間貯熱体１０００の外部の自然の熱マトリックス１００より優れている。中間貯熱体１０００は、固体または膠状または液体またはガス貯熱材料物体によって構成されることを含み、直接に自然の熱マトリックス１００の間に設置され、或いは、選択した貯熱物質の材料性質に合わせて、または、構造のニーズ、環境保全のニーズ、更なるニーズによって貯熱物体の外部に設置することを選択する。
【００２０】
良い熱伝導係数である材料によって構成される容器状のケースボディー構造或いは良い熱伝導係数の材料によって網状または柵状または多孔状隔離構造を構成することによって、中間貯熱体１０００と自然の熱マトリックス１００の相対的な空間的位置関係を制限や隔離し、熱伝導を高める。貯熱物質と自然の熱マトリックス１００と温度均等体との間の熱伝導面は平滑面または特定な交錯状または外部に向かって輻射延伸する翼状或いは柱状構造であることによって、熱伝導効果を高める。また、中間貯熱体が持っているより良い熱伝導係数及び／或いはより良い単位熱容量比の特性を通して、周辺の安定温度である自然の熱マトリックス１００の熱エネルギーを吸収する。中間貯熱体１０００は、より高い単位熱容量比がより大きい熱容量の熱エネルギーを貯蔵することによって、同じ単位時間と同じ温度差条件において、最大伝送熱エネルギーを温度均等装置１０１へ伝送する。
【００２１】
図８に図３の実施形態の少なくとも二個の中間貯熱体１０００と温度均等装置１０１の同一構造体を自然の熱マトリックス１００に分散設置し、かつ流体導管を分散設置しまた直列に接続する構造の模式図を示す。
図９に図３の実施形態の少なくとも二個の中間貯熱体１０００と温度均等装置１０１の同一構造体を自然の熱マトリックス１００に分散設置し、かつ流体導管を並列接続する構造の模式図を示す。
【００２２】
図１０に図３の実施形態の少なくとも三個の中間貯熱体１０００と温度均等装置１０１の同一構造体を自然の熱マトリックス１００に分散設置し、かつ流体導管を直並列接続する構造の模式図を示す。
第二流体導管１０３は、少なくとも一個の管状流体導管によって構成され、温度均等装置１０１の出口に接続する。空気を第二流体導管１０３の少なくとも一個の出口を経由し、選択した少なくとも一個の温度が調節される空間に入れる。それは、建物内部、室内、構造体本体或いは開放空間を含む。
【００２３】
ポンプ装置１０４は、各第一流体導管１０２或いは各第二流体導管１０３或いは第一流体導管１０２及び第二流体導管１０３の両方に接続するように設置されている。空気を圧動し、接続する第一流体導管１０２、温度均等装置１０１及び接続する第二流体導管１０３を経て、選択温度で調節される空間に入れる。ポンプ装置は、回転による機械力を送って駆動し、或いは、電気エネルギーを送って電動機の電磁効果を回転駆動する動力ポンプ及びオンオフ制御関連或いは風量調整の制御インターフェイスによって構成され、或いは、自然力の風力エネルギーまたは温度差気流を通して、エアポンプを駆動することによって構成されることを含む。
【００２４】
以上によって、本実施形態の自然の熱エネルギーを利用した給気システムの主な構造を構成し、システムは更なるニーズによって下記の補助関連装置の設置を選択する。それは、新鮮な空気の入口及び出口にニーズによって有害ガス検知器の設置を選択する。或いは、更なるニーズによって浄化機能を持つろ過装置、流量調節装置、有害ガス検知器、温度測定装置、流量計の設置を選択する。或いは、更なるニーズによって有益なガス或いは芳香ガス供給添加装置の設置を選択する。或いは、ニーズによって調節補助装置、調湿装置、排水装置の設置を含む。補助関連装置は下記を含む。
【００２５】
ろ過装置１０６は、取り外すことができるきれいな気流ろ過構造によって構成される。例えば、活性炭ろ過器を空気の吸入口或いは出口に設置することによって、配管閉塞を防止し、及び簡単に掃除ができる。除塵フィルター及び有害ガスのろ過装置の中に活性炭などを含むろ過装置によって構成されることを含む。本装置は、ニーズによって設置を選択することができる。
【００２６】
流量調節装置１０７は、ニーズによって人工或いは機械力で新鮮な空気の放出量の大小を制御、調整する。調節装置は、ポンプの圧送気流流量を調節する調節装置、或いは、気流の出口にあるガス流量の大小を調節するバルブまたはゲート装置によって構成される。本装置は、ニーズによって設置を選択することができる。
有害ガス検知器１０８１は、気流の吸入口或いは出口に設置し、温度が調節される空間の人体、動物、植物などの生物或いは物品に対する有害ガスを検査測定し、また、メッセージを送信する。本実施形態の装置は、ニーズによって設置或いは設置しないを選択することができる。
【００２７】
温度測定装置１０８２は、温度が調節される空間に設置し、温度を検査測定する。或いは、空気の入口或いは出口に設置し、温度を検査測定し、また、メッセージを送信する。本実施形態の装置は、ニーズによって設置或いは設置しないを選択することができる。
流量計１０８３は、新鮮な空気流量を累積計算して、計量を記録と表示し、及びメッセージを送信することによって、流量を制御し、或いは、費用計算や統計管理の参考にする。本装置は、ニーズによって設置或いは設置しないを選択することができる。
【００２８】
ガス或いは微粉粒状物質添加装置１０８４は、人工操作或いは機械力或いは電気エネルギーの信号によって制御し、温度が調節される空間に対して人体、動物、植物に有益なガス物体を送り込み、或いは、気流によって運ばれる微粉粒体や霧状液体を送り込み、或いは、物品保護に有利なガス物体または微粉粒体や霧状液体を送り込み、或いは、匂いが分かるガス物体或いは微粉粒体或いは霧状液体を送り込む添加装置によって構成されている。本実施形態の装置は、気流の入口端または第一流体導管１０２または温度均等装置１０１または第二流体導管１０３または気流の出口端または温度が調節される空間の内部或いは外部に設置する。本実施形態の装置は、ニーズによって設置或いは設置しないを選択することができる。
【００２９】
調節補助装置１０９は、もし温度均等装置１０１の温度がニーズを満足することができない場合、温度均等装置１０１の出口から第二流体導管１０３を経て温度が調節される空間の出口端までの流路に調節補助装置１０９を追加設置する。或いは、温度が調節される空間に調節補助装置１０９を追加設置することによって、温度が調節される空間に入る気流に対して昇温或いは降温の補助調節を行うことができる。調節補助装置１０９は、加熱機能の補助加温装置或いは降温機能の冷却装置或いは二種類の機能を持つ温度調節装置によって構成されることを含む。本装置は、ニーズによって設置或いは設置しないを選択することができる。
【００３０】
調湿装置１０９０は、第一流体導管１０２或いは第二流体導管１０３によって構成される気流配管内部或いは温度均等装置１０１の内部に吸湿物質の塗装を選択する以外に、更に湿度を除去、減少、増加する調湿機能装置１０９０を設置し、また、人工操作或いは湿度の検査測定、設定を通して、自動的に湿度を制御する。本装置は、ニーズによって設置或いは設置しないを選択することができる。
排水装置１０９１は、第一流体導管１０２或いは第二流体導管１０３によって構成された気流配管内部の水溜まりまたは温度均等装置１０１の内部にある水溜まりを抽出するポンプ及び導水管などの装置によって構成される。本装置は、ニーズによって設置或いは設置しないを選択することができる。
【００３１】
制御ユニット１０８は、機電装置、電子回路装置、マイクロプロセッサ、ソフトウェア関連、インターフェイス操作回路によって構成され、システムが温度調節される空間に対して温度調整を制御し、及び送気機能を作動する以外に、ニーズによって下記の一種或いは一種以上の機能増加を含む。
【００３２】
１．安全保護制御機能は、入力側或いは各出力口に設置する有害ガス検知器１０８１と連結し、有害ガスが存在しかつ監視値を超えるとき、警報を送信し、及び気流を切断し、或いは、その他応変な処理を行う。有害ガス検知器を入力及び出力口側に設置し、空間内の有害ガスを偵側することができる。
２．温度測定装置１０８２及び新鮮な空気流量の計量の記録と表示機能がある流量計１０８３と連結し、ポンプ装置１０４、流量調節装置１０７、調節補助装置１０９を制御し、また、温度が調節される空間に対して温度調整及び吸気流量を制御する。
【００３３】
３．ガス添加装置１０８４を制御し、温度が調節される空間の人体、動物、植物に対する有益なガスを添加し、或いは、気流によって微小粉粒物体のヘルスケア品或いは薬品を運び、或いは、物品保護に対して有利なガスまたは微小粉粒物体または嗅覚を刺激するガスを添加する。
４．調湿装置１０９０を制御し、入口の気流或いは輸送流体の第一流体導管１０２、温度均等装置１０１、第二流体導管１０３、排出気流、温度が調節される空間の湿度を調節する。５．排水装置１０９１を制御し、第一流体導管１０２、温度均等装置１０１、第二流体導管１０３の水溜まりを排除する。本装置は、ニーズによって設置或いは設置しないを選択することができる。
【００３４】
前述の図１に示す自然の熱エネルギーを利用した給気システムの中に述べたガス物質添加装置１０８４は、自然の熱エネルギーを利用した給気システムへの応用ができる以外に、また、伝統的な中間貯熱体未設置の自然の熱エネルギーを均等温度で給気するシステムまたは一般養殖温室または貯蔵倉庫などの室内空間の給気するシステムへの応用もできる。人体、動物、植物に有益なガス物体を送り込み、或いは、気流によって運ばれる微粉粒体や霧状液体を送り込み、或いは、物品保護に有利なガス物体または微粉粒体や霧状液体を送り込み、或いは、匂いが分かるガス物体或いは微粉粒体或いは霧状液体を送り込むことができる。
【００３５】
本実施形態の自然の熱エネルギーを利用した給気システムは、また、すでに伝統的な温度調節装置を設置した温度が調節される空間と外部の温度差環境の間に設置し、漸進的な温度差隔離を構成することができる。それは下記を含む。
温度が調節される空間の需要温度は、温度均等装置１０１によって温度を調節してから、更に温度が調節される空間に入る気流の温度より高い。しかし、気流の温度均等装置１０１を経た後の温度が入口の気流の温度より高いとき、本実施形態のシステムは気流に対して予熱機能を提供することができる。
【００３６】
或いは、温度が調節される空間の需要温度は、温度均等装置１０１によって温度を調節してから、更に温度が調節される空間に入る空気の温度より低い。しかし、温度均等装置１０１を経た後の新鮮空気の温度が入口の気流の温度より低いとき、本実施形態のシステムは気流に対して予冷機能を提供することができる。
本実施形態の自然の熱エネルギーを利用した給気システムは、終端出力の気流は温度が調節される空間と環境に対して正圧を形成するので、温度調節及び新鮮な空気を供給できる上に、同時に下記の一種或いは一種以上の応用機能を持ち、それは下記を含む。
【００３７】
１．本実施形態の自然の熱エネルギーを利用した給気システムは、もし温度が調節される空間に建物の内部或いは室内を選択する場合、室外から建物の内部に対して新鮮な気流を送り込むとき、温度が調節される空間の内部は外部に対して正圧を形成し、空気を排出するので、外部粉塵及び汚染空気は温度が調節される空間の内部に逆流しにくい機能がある。
【００３８】
２．本実施形態の自然の熱エネルギーを利用した給気システムは、もし温度が調節される空間に都市の中の開放空間を選択する場合、都市外部から都市の中の開放空間に対して新鮮な気流を送り込むとき、温度調節及び新鮮な空気を供給できる上に、また、都市全体に対して外部に向かって拡散する正圧の気流を形成するので、特に、盆地地形に位置する都市に対して常に高層気流の停滞現象或いはサンドストームなどを形成するので、空気品質の悪化現象を改善する機能がある。
【００３９】
３．本実施形態の自然の熱エネルギーを利用した給気システムは、もし選択された温度が調節される空間と第一流体導管１０２の気流の入口端の外部周辺とが異なる気候形態に属する場合、温度調節ができる上に、また、気流の供給を通して、気候を微調整することができる。
【００４０】
４．本実施形態の自然の熱エネルギーを利用した給気システムは、もし温度が調節される空間に家屋空間、倉庫空間、植物植栽或いは栽培、動物養殖、水産の室内空間或いは半密閉空間或いは開放区域を選択するとき、温度調節ができる上に、また、気流の供給を通して、人体、動物、植物に有益なガス物体を送り込み、或いは、気流によって運ばれる微粉粒体や霧状物体を送り込み、或いは、物品保護に有利なガス物体や微粉粒体または気流によって運ばれる微粉粒体や霧状液体を送り込み、或いは、匂いが分かるガス物体或いは微粉粒体や霧状液体を送り込むことができる。
【００４１】
本実施形態の自然の熱エネルギーを利用した給気システムは、空間の調温及び換気へ応用するとき、更に下記システムの構造形態にすることができる。それは下記を含む。
新鮮な空気を圧動して、海洋、湖、池、河川、人工池に埋設、沈置、ぶら下がり、漂う中間貯熱体１０００に覆われる温度均等装置１０１を流れ通って、船室或いはその他設備に対して新鮮な空気を供給し、及び温度を調節する。
【００４２】
新鮮な空気を圧動して、地下に埋め、或いは、海洋、湖、池、河川、人工池に沈置、ぶら下がり、漂う中間貯熱体１０００に覆われる温度均等装置１０１を流れ通って、陸上の建築空間に対して新鮮な空気を供給し、及び温度を調節する。
新鮮な空気を圧動して、地層に埋設される中間貯熱体１０００に覆われる温度均等装置１０１を流れ通って、陸上の建築空間に対して新鮮な空気を供給し、及び温度を調節する。
【００４３】
上述のシステムを通して、我々は下記の効果が得られる。
１．温度均等装置１０１と自然の熱マトリックス１００との間の温度均等装置１０１を覆う中間貯熱体１０００の設置を通して、中間貯熱体１０００は良い熱伝導係数及びより大きい単位熱容量比特性を持ち、二者或いはその中の一つは外部に安定温度である自然の熱マトリックスより優れている材料によって構成されている。しかも、システムの稼動、停止を問わず、持続して自然の熱マトリックス１００の熱エネルギーを飽和まで吸収、貯蔵し、温度均等装置１０１に対してより速やかにより大きい熱容量の熱エネルギーを提供する。
【００４４】
２．早期の設備固定コスト及びその後の圧動のエネルギーのみがあれば、特定の温度が調節される空間に対して新鮮な空気を供給し、及び空気に対して温度調節機能を行い、必要なエネルギーが減少される。
３．建物の室内温度が調節される空間に対して新鮮な気流を送り、及び熱エネルギーを輸送し、人体健康に有益な新鮮な気流を供給し、また、室外に対して正圧を形成し、空気を排出するので、汚染空気及び粉塵の室内への流れ込みが減少する。
【００４５】
４．団地、都市、工場区域、学校などの開放式温度が調節される空間へ応用し、新鮮な空気を送り、及び熱エネルギーを輸送し、人体健康に有益な新鮮な気流を供給し、また、周辺全体に向かって散逸する正圧気流を形成するので、停滞している汚染空気の外部への拡散が速くなる。
【００４６】
本実施形態の自然の熱エネルギーを利用した給気システムは、更に自然の熱マトリックスの熱エネルギーを通して、間接に温度が調節される空間へ伝送される気流に対して温度を調節する方式を採用し、室内或いは室外空間に対して温度を調節することができる。
【００４７】
図１１に本実施形態の中間貯熱体を持つ熱エネルギーは間接に貯熱輸送体を経て、温度が調節される空間に対して閉路式温度調節を行う構造の模式図を示す。図中の主な構成は下記を含む。
能動温度均等装置２０１は、内部にあるシングルサーキット或いはマルチサーキットを並列接続する流体通路の導熱体によって構成されている。一個或いは数個の能動温度均等装置２０１を設置し、直列接続、並列接続、直並列接続することを選択し、中間貯熱体１０００の中に設置し、或いは、同一構造または隣接結合する。
【００４８】
中間貯熱体１０００を能動温度均等装置２０１と自然の熱マトリックス１００との間に設置し、能動温度均等装置２０１は良い熱伝導係数の材料によって構成され、内外の吸熱と放熱面は平滑面または特定な交錯状または特定な湾曲曲線状構造によって構成されている。或いは、良い熱伝導係数の材料によって構成され、直線または湾曲曲線状の管状流体導管構造によって能動温度均等装置２０１の機能を構成し、及びニーズによって能動温度均等装置２０１の外部に外部に向かって延伸する翼状或いは柱状の導熱構造を設置し、或いは、内部に内部に向かって延伸する翼状或いは柱状の導熱構造を設置し、吸熱及び放熱効果を高める。能動温度均等装置２０１は、少なくとも一つの入口及び少なくとも一つの出口を持ち、熱エネルギー流体輸送配管２０２と接続する。また、熱エネルギー輸送流体２０３を圧動する流体ポンプ２０４を通して、熱エネルギー輸送流体２０３の循環は能動温度均等装置２０１と受動温度均等体２０５との間を流れ、熱エネルギーを輸送する。
【００４９】
図１２に図１１の実施形態の一個の能動温度均等装置２０１を一個の中間貯熱体１０００に設置する構造の模式図を示す。
図１３に図１１の実施形態の少なくとも二個の能動温度均等装置２０１の流体導管を一個の中間貯熱体１０００に直列接続する構造の模式図を示す。
図１４に図１１の実施形態の少なくとも二個の能動温度均等装置２０１の流体導管を一個の中間貯熱体１０００に並列接続する構造の模式図を示す。
【００５０】
図１５に図１１の実施形態の少なくとも三個の能動温度均等装置２０１の流体導管を一個の中間貯熱体１０００に直並列接続する構造の模式図を示す。
中間貯熱体１０００は、能動温度均等装置２０１及び外部の自然の熱マトリックス１００と異なる材料によって構成され、少なくとも一個の中間貯熱体１０００を通して、能動温度均等装置２０１と同一構造体をなし、同一構造または組立てまたは隣接して設置し、或いは、一個または数個を直列または並列または直並列に接続する能動温度均等装置２０１の周辺と外部の自然の熱マトリックス１００との間に充填することを含む。
【００５１】
能動温度均等装置２０１と中間貯熱体１０００の同一構造体が二個或いは二個以上であるとき、自然の熱マトリックス１００の中に分散設置し、自然の熱マトリックス１００は自然界のより大きくかつ安定な貯熱容量を持つ地層、地表、池、湖、河川、砂漠、氷山、海洋などの固体或いは液体貯熱体によって構成されている。中間貯熱体１０００の構成材料の熱伝導係数及び／或いは単位熱容量比の二者或いはその中の一つは、中間貯熱体１０００の外部の自然の熱マトリックス１００より優れている。
【００５２】
中間貯熱体１０００は固体または膠状または液体またはガス貯熱材料物体によって構成されることを含み、直接に自然の熱マトリックス１００の間に設置し、或いは、選択した貯熱物質の材料性質に合わせて、または、構造のニーズ、環境保全のニーズ、更なるニーズによって貯熱物体の外部に設置することを選択する。良い熱伝導係数である材料によって構成される容器状のケースボディー構造或いは良い熱伝導係数の材料によって網状または柵状または多孔状隔離構造を構成することによって、中間貯熱体１０００と自然の熱マトリックス１００の相対的な空間的位置関係を制限や隔離し、熱伝導を高める。
【００５３】
上述の貯熱物質と自然の熱マトリックス１００と能動温度均等装置２０１との間の熱伝導面は平滑面または特定な交錯状または外部に向かって輻射延伸する翼状或いは柱状構造であることによって、熱伝導効果を高める。また、中間貯熱体が持っているより良い熱伝導係数及び／或いはより良い単位熱容量比の特性を通して、周辺の安定温度である自然の熱マトリックス１００の熱エネルギーを吸収する。中間貯熱体はより大きい熱容量の熱エネルギーを貯蔵することによって、同じ単位時間と同じ温度差条件において、能動温度均等装置２０１に対してより大きい熱エネルギーを伝送する。
【００５４】
図１６に図１１の実施形態の少なくとも二個の中間貯熱体１０００と能動温度均等装置２０１の同一構造体を自然の熱マトリックス１００に分散設置し、かつ流体導管を直列接続する構造の模式図を示す。
図１７に図１１の実施形態の少なくとも二個の中間貯熱体１０００と能動温度均等装置２０１の同一構造体を自然の熱マトリックス１００に分散設置し、かつ流体導管を並列接続する構造の模式図を示す。
【００５５】
図１８に図１１の実施形態の少なくとも三個の中間貯熱体１０００と能動温度均等装置２０１の同一構造体を自然の熱マトリックス１００に分散設置し、かつ流体導管を直並列接続する構造の模式図を示す。
熱エネルギー流体輸送配管２０２は、クローズドループ配管で、内部に熱エネルギー輸送流体２０３が詰め込まれ、流体ポンプ２０４に圧動され、中間貯熱体１０００に設置する能動温度均等装置２０１と受動温度均等体２０５との間で循環し、熱エネルギーを伝送する。
【００５６】
熱エネルギー輸送流体２０３は、流体ポンプ２０４を通して圧動され、熱エネルギー流体輸送配管２０２の中で流れて循環する。また、中間貯熱体１０００に設置する能動温度均等装置２０１を流れ通って、中間貯熱体１０００の熱エネルギーを熱エネルギー輸送流体２０３を経て、受動温度均等体２０５へ伝送する。熱エネルギー輸送流体２０３は、通常、水または油またはその他液体または空気またはその他貯熱量がより大きい液体またはガスを採用して構成する。
流体ポンプ２０４は、電力或いはその他機械力によって各種流体ポンプを駆動し、一段或いは一段以上の流体ポンプ２０４によって構成され、増圧圧送を行い、熱エネルギー輸送流体２０３を能動圧送し、熱エネルギー流体輸送配管２０２の中での流動を含む。
【００５７】
受動温度均等体２０５は、システムに少なくとも一個の受動温度均等体２０５を設置し、中間貯熱体１０００に設置する能動温度均等装置２０１からの熱エネルギーを熱エネルギー流体輸送配管２０２の内部の熱エネルギー輸送流体２０３を経て輸送する。受動温度均等体２０５の設置方式は、ニーズによって一個を設置し、或いは、二個または二個以上の受動温度均等体２０５を設置する。受動温度均等体２０５の熱エネルギー流体輸送配管２０２を直列接続または並列接続または直並列接続し、受動温度均等体２０５は下記の位置を選択して設置することができる。それは下記を含む。
【００５８】
１．受動温度均等体２０５を室内空間または半密閉空間または開放区域によって構成される温度が調節される空間に設置し、熱エネルギーを温度が調節される空間へ放出し、冷却或いは加熱を行う。受動温度均等体２０５の外部には平滑面或いはニーズによって翼状構造を設置し、或いは、更なるニーズによって気流を送る扇風機の設置を選択する。或いは、
２．受動温度均等体２０５を温度が調節される空間を構成する構造体の内部、例えば、壁、柱、梁、床、地中浅層、屋上内部に設置し、閉路循環の熱エネルギー輸送流体２０３が輸送する熱エネルギーを受け、冷却或いは加熱を行う。或いは、
【００５９】
３．受動温度均等体２０５とエアコン装置の散熱器を熱伝導の同一構造にし、温度を均等に冷却或いは加熱する。或いは、
４．受動温度均等体２０５と気流或いは液流の熱交換器（ｈｅａｔ  ｅｘｃａｈａｎｇｅｒ）を熱伝導の同一構造にし、温度均等冷却或いは加熱を行う。或いは、
５．受動温度均等体２０５と気流或いは液流に対して熱回収換気装置（ｈｅａｔ  ｒｅｃｏｎｖｅｒｔｅｒ）を熱伝導の同一構造にし、温度を均等に冷却或いは加熱する。或いは、
６．受動温度均等体２０５を設定温度範囲に作動する機械工具、例えば、機械または生産設備或いは内燃または外燃エンジン或いは変圧器または回転電機或いは貯電装置などの構造体に設置し、或いは、熱エネルギー輸送流体２０３を導入して、上述の機械工具の調温配管に設置し、受動温度均等体２０５と機械工具を同一構造にし、熱エネルギー輸送流体２０３を通過し、温度を均等に冷却或いは加熱する。
【００６０】
ろ過装置２０６は、取り外せるきれいな熱エネルギー輸送流体２０３のろ過構造によって構成され、配管閉塞を防止し、及び簡単に掃除ができ、ニーズによって閉路循環の熱エネルギー流体輸送配管２０２の中の任意位置、例えば、吸入口或いは出口或いは中間或いは多箇所に設置することができる。本実施形態の装置は、ニーズによって設置或いは設置しないを選択することができる。
【００６１】
流量調節装置２０７は、ニーズによって人工或いは機械力で熱エネルギー輸送流体２０３の流量の大小を制御、調整する。その調節方式は、もしシステムが流体の閉路循環式であれば、直列接続を通して、制御する。或いは、並列接続の分流制御の方式で、流量調節装置２０７の流量を制御し、更に、受動温度均等体の熱エネルギー輸送流体２０３を流れ通る流量を調節し、温度が調節される空間への輸送或いは温度が調節される空間を構成する構造体内の受動温度均等体２０５に流れる熱エネルギー輸送流体２０３の流量を変更させ、受動温度均等体２０５の熱エネルギーを制御する。もし受動温度均等体２０５の本体に流体ポンプ２０４を配置するときも、配置した流体ポンプ２０４の圧動量を通して、放出熱エネルギーを調節する。本実施形態の装置は、ニーズによって設置或いは設置しないを選択することができる。
【００６２】
温度測定装置１０８２は、温度が調節される空間に設置し、温度を検査測定し、或いは、気流の入口或いは出口に設置し、温度を検査測定し、また、メッセージを送信する。本実施形態の装置は、ニーズによって設置或いは設置しないを選択することができる。
調節補助装置２０９は、もし能動温度均等装置２０１の温度がニーズを満足することができない場合、温度が調節される空間に調節補助装置２０９を追加設置する。図１９に図１１のシステムに調節補助装置を追加設置するシステムの実施形態の模式図を示す。中間貯熱体１０００から熱エネルギー輸送流体２０３を通して、受動温度均等体２０５から出力の熱エネルギーへ伝送し、更に伝統的な燃焼或いは電熱或いはソーラーエネルギーなどの加温装置によって構成される調節補助装置へ入力して昇温し、或いは、更に伝統的な降温調節装置によって構成される調節補助装置へ入力して降温することを含む。本実施形態の装置は、ニーズによって設置或いは設置しないを選択することができる。
【００６３】
制御ユニット２０８は、機電装置、電子回路装置、マイクロプロセッサ、ソフトウェア関連、インターフェイス操作回路によって構成され、人工或いは電力或いは機械力の操作で、温度が調節される空間或いは温度が調節される構造体に設置する温度測定装置及び自然の熱マトリックス１００に設置する温度測定装置１０８２の信号を制御することによって、流体ポンプ２０４と流量調節装置２０７の作動を制御することを含む。本実施形態の装置は、ニーズによって設置或いは設置しないを選択することができる。
【００６４】
図１１から図１９に実施形態を述べ、そのシステムの構成方式は下記を含む。
中間貯熱体１０００は、埋設、沈置、ぶら下がり、或いは、海洋、湖、池、河川、人工池に漂い、能動温度均等装置２０１を中間貯熱体１０００の中に設置し、或いは、同一構造の結合または隣接結合する。能動温度均等装置２０１の流体の入口端と出口端に熱エネルギー流体輸送配管２０２を設置し、また、陸上建物の本体構造または建物内部空間または外部空間または地表の受動温度均等体２０５まで延伸し、閉路回路を構成する。流体ポンプ２０４の圧動による熱エネルギー輸送流体２０３を通して、陸上建物の本体構造または建物内部空間または外部空間または地表の受動温度均等体２０５に対して閉路の温度調節をする。
【００６５】
地層に埋設している中間貯熱体１０００によって能動温度均等装置２０１を覆い、或いは、同一構造の結合或いは隣接結合する。能動温度均等装置２０１の流体の入口端と出口端に熱エネルギー流体輸送配管２０２を設置し、また、陸上建物の本体構造或いは建物内部空間或いは外部空間或いは地表の受動温度均等体２０５まで延伸し、閉路回路を構成する。流体ポンプ２０４によって圧動される熱エネルギー輸送流体２０３を通して、陸上建物の本体構造または建物内部空間または開放的な外部空間または地表の受動温度均等体２０５に対して閉路の温度調節をする
【００６６】
前述の図３から図１０に示す自然の熱エネルギーを利用した給気システムの実施形態の中で、中間貯熱体１０００を設置し、温度均等装置１０１に更に自然の熱マトリックス１００を設置する構造は下記の通りである。
１．図２０に固体或いは膠状物質によって構成する中間貯熱体を自然の熱マトリックスと温度均等装置との間に設置する実施形態の模式図を示す。説明は下記の通りである。
【００６７】
図２０に示すのは、固体或いは膠状物質によって構成する中間貯熱体１０００である。固体或いは膠状物質によって構成する中間貯熱体１０００は、良好の熱伝導係数及び／或いはより高い単位熱容量比を持ち、二者或いはその中の一つは外部に安定温度である自然の熱マトリックス１００より優れていて、自然の熱マトリックス１００と温度均等装置１０１との間に設置する。
【００６８】
２．或いは、  図２１に密閉できるケースボディーの中に液体またはガスまたは膠状または固体物質を置き、中間貯熱体を構成し、自然の熱マトリックスと温度均等装置との間に設置する実施形態の模式図を示す。説明は下記の通りである。
図２１に示すのは、密閉できるケースボディー１００１の中に液体またはガスまたは膠状または固体物質を置き、中間貯熱体１０００を構成する。密閉できるケースボディー１００１の中の液体またはガスまたは膠状または固体物質によって構成する中間貯熱体１０００は、良好の熱伝導係数及び／或いはより高い単位熱容量比を持ち、二者或いはその中の一つは外部に安定温度である自然の熱マトリックス１００より優れていて、自然の熱マトリックス１００と温度均等装置１０１との間に設置する。密閉できるケースボディー１００１は、密閉構造或いは開閉可能な封蓋構造を設置することによって構成される。
【００６９】
密閉できるケースボディー１００１は、更に少なくとも一個の流体流入配管１１１を設置し、及び少なくとも一個の流体流出配管１１２を設置し、流体を流入及び流出させる。密閉できるケースボディー１００１の中の流体は、例えば、水道水からの水流或いはその他給水システムの水流或いは自然水源の水流を連続して更換することにより、温度差を維持する。本実施形態の密閉できるケースボディー１００１は、ニーズによって流体流入配管１１１或いは流体流出配管１１２に応用管理と制御に合わせて下記の一種或いは一種以上の補助装置を設置する。それは下記を含む。
【００７０】
（１）流体ポンプ２０４を設置し、流体を能動圧送することによって、流体を流動させるために、自然流体の流動エネルギーに協力し、或いは、取り代わる。
（２）ろ過装置２０６を設置し、流体をろ過し、ろ過装置は固定式であり、または、更に制御ユニット３０８で制御される。
（３）流量調節装置２０７を設置し、流量を調節する。
【００７１】
（４）流量計２０８３を設置し、流量計２０８３を地層中、地下、地表に設置し、通過する流体の流量を測定する。
（５）制御ユニット３０８を設置する。制御ユニット３０８は、機電装置、電子回路装置、マイクロプロセッサ、ソフトウェア関連、インターフェイス操作回路によって構成され、人工操作または電力または機械力の制御を含む。流体ポンプ２０４、ろ過装置２０６、流量調節装置２０７、流量計２０８３の作動を制御し、及びニーズによって流量計２０８３の流量を表示する。
【００７２】
図２２は、図２１の実施形態に流体流入配管及び流体流出配管を設置する構造を示す模式図である。
密閉できるケースボディー１００１は、ニーズによって良好の熱伝導係数を持つ材料によって構成されることを選択し、或いは、建物によって構成され、或いは、熱伝導係数を特定選択しない。
【００７３】
３．或いは、図２３に開放槽の中に液体または膠状物質または固体を置き、中間貯熱体を構成し、また、自然の熱マトリックスと温度均等装置との間に設置する構造の模式図を示す。説明は下記の通りである。
図２３に上に向かって開放する槽状のケースボディー１００２の中に液体または膠状または固体物質を置き、中間貯熱体１０００を構成することを示す。上に向かって開放する槽状のケースボディー１００２の中に液体または膠状または固体物質を置き、構成する中間貯熱体１０００は、良好の熱伝導係数及び／或いはより高い単位熱容量比を持ち、二者或いはその中の一つは外部に安定温度である自然の熱マトリックス１００より優れていて、自然の熱マトリックス１００と温度均等装置１０１との間に設置する。
【００７４】
上に向かって開放する槽状のケースボディー１００２は、更に少なくとも一個の流体流入水路１１３と流体流入配管１１１の二者或いはその中の一つを設置し、及び少なくとも一個の流体流出水路１１４と流体流出配管１１２の二者或いはその中の一つを設置し、流体を流入及び流出させる。上に向かって開放する槽状のケースボディー１００２の中の流体は、例えば、水道水からの水流或いはその他給水システムの水流或いは自然水源の水流を連続して更換することにより、温度差を維持する。本実施形態の上に向かって開放する槽状のケースボディー１００２は、ニーズによって流体流入配管１１１或いは流体流出配管１１２或いは流体流入水路１１３或いは流体流出水路１１４に応用管理と制御に合わせて下記の一種或いは一種以上の補助装置を設置する。それは下記を含む。
【００７５】
（１）流体ポンプ２０４を設置し、流体を能動圧送することによって、流体を流動させるために、自然流体の流動エネルギーに協力し、或いは、取り代わる。
（２）ろ過装置２０６を設置し、流体をろ過し、ろ過装置は固定式であり、または、更に制御ユニット３０８でろ過装置を制御する。
（３）流量調節装置２０７を設置し、流量を調節する。
（４）流量計２０８３を設置し、流量計２０８３を地層中、地下、地表に設置し、通過する流体の流量を測定する。
【００７６】
（５）制御ユニット３０８を設置する。制御ユニット３０８は、機電装置、電子回路装置、マイクロプロセッサ、ソフトウェア関連、インターフェイス操作回路によって構成され、人工操作または電力または機械力の制御を含む。流体ポンプ２０４、ろ過装置２０６、流量調節装置２０７、流量計２０８３の作動を制御し、及びニーズによって流量計２０８３の流量を表示する。
【００７７】
図２４は、図２３の実施形態に設置する流体流入配管及び流体流出配管の構造を示す模式図である。図２５は、図２３の実施形態に設置する流体流入水路及び流体流出水路の構造を示す模式図である。図２６は、図２３の実施形態に同時に流体流入配管及び流体流入水路を設置し、及び流体流出配管及び流体流出水路を設置する構造を示す模式図である。
上に向かって開放する槽状のケースボディー１００２は、ニーズによって良い熱伝導係数を持つ材料によって構成されることを選択し、或いは、建物によって構成され、或いは、熱伝導係数を特に選択しない。
【００７８】
４．或いは、図２７に多顆粒状或いは多塊状固体によって中間貯熱体を構成し、また、自然の熱マトリックスと温度均等装置との間に設置する実施形態を示す模式図を示す。説明は下記の通りである。
図２７に多顆粒状或いは多塊状固体によって中間貯熱体１０００を構成することを示す。多顆粒状或いは多塊状固体によって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と温度均等装置１０１との間に設置する。
【００７９】
５．或いは、図２８に網状構造で多顆粒状或いは多塊状固体を覆うことによって、中間貯熱体を構成し、また、自然の熱マトリックスと温度均等装置との間に設置する実施形態の模式図を示す。説明は下記の通りである。
図２８に網状構造１００３で多顆粒状或いは多塊状固体を覆うことによって、中間貯熱体１０００を構成することを示す。網状構造１００３で多顆粒状或いは多塊状固体を覆うことによって構成する中間貯熱体１０００は、良好の熱伝導係数及び／或いはより高い単位熱容量比を持ち、二者の特性は全て外部に安定温度である自然の熱マトリックス１００より優れていて、自然の熱マトリックス１００と温度均等装置１０１との間に設置する。網状構造の構成材料は、ニーズによって良い熱伝導係数の材料によって構成されることを選択し、或いは、建物によって構成され、或いは、熱伝導係数を特に選択しない。
【００８０】
６．或いは、図２９に多孔状構造で多顆粒状或いは多塊状固体を覆うことによって、中間貯熱体を構成し、また、自然の熱マトリックスと温度均等装置との間に設置する実施形態の模式図を示す。説明は下記の通りである。
図２９に多孔状構造１００４で多顆粒状或いは多塊状固体を覆うことによって、中間貯熱体１０００を構成することを示す。多孔状構造１００４で多顆粒状或いは多塊状固体を覆うことによって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と温度均等装置１０１との間に設置する。多孔状構造の構成材料は、ニーズによって良い熱伝導係数の材料によって構成されることを選択し、或いは、建物によって構成され、或いは、熱伝導係数を特に選択しない。
【００８１】
７．或いは、図３０は柵状構造で多顆粒状或いは多塊状固体を覆うことによって、中間貯熱体を構成し、また、自然の熱マトリックスと温度均等装置との間に設置する実施形態を示す模式図である。説明は下記の通りである。
図３０に柵状構造１００５で多顆粒状或いは多塊状構造を覆うことによって、中間貯熱体１０００を構成することを示す。柵状構造１００５で多顆粒状或いは多塊状構造を覆うことによって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と温度均等装置１０１との間に設置する。
【００８２】
柵状構造の構成材料は、ニーズによって良い熱伝導係数の材料によって構成されることを選択し、或いは、建物によって構成され、或いは、熱伝導係数を特に選択しない。前述の図３から図１０に示す自然の熱エネルギーを利用した給気システムの実施形態の中で、中間貯熱体１０００と自然の熱マトリックス１００との間に、更に図３１は温度均等装置１０１の中間貯熱体１０００と自然の熱マトリックス１００との間に平面指向（２Ｄ）または立体指向（３Ｄ）または垂直指向の輻射状導熱補助装置２０００を設置する実施形態を示す模式図である。
【００８３】
図３１に示す説明は下記の通りである。
製作及び設計コストを考慮し、及び中間貯熱体１０００と自然の熱マトリックス１００との間の熱伝導効果を高めるために、中間貯熱体１０００と自然の熱マトリックス１００との間に平面指向（２Ｄ）または立体指向（３Ｄ）または垂直指向の輻射状導熱補助装置２０００を設置することによって、熱エネルギー輸送効果を高める。その設置方式は下記を含む。
【００８４】
輻射状導熱補助装置２０００は、良い熱伝導係数を持つ材料によって構成され、平面指向（２Ｄ）または立体指向（３Ｄ）または垂直指向の輻射状の少なくとも一個の柱状または片状または翼状に延伸する導熱装置である。その構造は、中が詰まった或いは中空構造で、中に導熱充填物を含むことによって構成され、或いは、ヒートパイプ構造によって構成され、中間貯熱体１０００と自然の熱マトリックス１００との間にある輻射状導熱補助装置２０００に設置する。
【００８５】
輻射状導熱補助装置２０００は、更に中空構造で中に導熱充填物或いはヒートパイプを含む構造によって取り代わる。図３２に本実施形態の中空構造で、その中に導熱充填物或いはヒートパイプを含む構造によって構成し、温度均等装置１０１の中間貯熱体１０００と自然の熱マトリックス１００との間に中空構造があって、その中に導熱充填物或いはヒートパイプを含む構造によって構成する輻射状導熱補助装置の模式図を示す。
【００８６】
図３２に本実施形態の中空構造であって、その中に導熱充填物或いはヒートパイプを含む構造によって構成する輻射状導熱補助装置２００１を示す。その設置方式は下記の通りである。
もし中間貯熱体１０００を直接に自然の熱マトリックス１００と温度均等装置１０１との間に設置する場合、中空構造の中に導熱充填物或いはヒートパイプ構造を含む輻射状導熱補助装置２００１は、平面指向（２Ｄ）または立体指向（３Ｄ）または垂直指向になって、中間貯熱体１０００と自然の熱マトリックス１００との間に延伸して設置し、また、平面指向（２Ｄ）または立体指向（３Ｄ）または垂直指向になって、中間貯熱体１０００及び自然の熱マトリックス１００の内部まで延伸することによって、熱エネルギー輸送効果を高める。
【００８７】
もし中間貯熱体１０００を良い熱伝導係数を持つ容器状のケースボディー構造或いは良い熱伝導係数を持つ網状隔離構造或いは柵状隔離構造或いは多孔状隔離構造に設置する場合、中空構造の中に導熱充填物或いはヒートパイプを含む構造によって構成する輻射状導熱補助装置２００１は、良い熱伝導係数を持つ容器状のケースボディー構造と結合し、或いは、良い熱伝導係数を持つ網状或いは柵状或いは多孔状隔離構造と結合し、中間貯熱体１０００に向かい、及び自然の熱マトリックス１００に向かう二者或いはその中の一つは平面指向（２Ｄ）または立体指向（３Ｄ）または垂直指向になる。中空構造の中に導熱充填物或いはヒートパイプを含む構造によって構成する輻射状導熱補助装置２００１を設置することによって、熱伝導効果を高める。
【００８８】
前述の図１１から図１９に示す自然の熱エネルギーを利用した給気システムの実施形態に中間貯熱体１０００を設置し、能動温度均等装置２０１に更に自然の熱マトリックス１００を設置する構造は下記の通りである。
８．図３３に固体或いは膠状物質によって構成する中間貯熱体を自然の熱マトリックスと能動温度均等装置との間に設置する実施形態の模式図を示す。説明は下記の通りである。
【００８９】
図３３に示すのは、固体或いは膠状物質によって構成する中間貯熱体１０００である。固体或いは膠状物質によって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。
【００９０】
９．或いは、図３４に密閉できるケースボディーの中に液体またはガスまたは膠状または固体物質を置き、中間貯熱体を構成し、自然の熱マトリックスと能動温度均等装置との間に設置する実施形態の模式図を示す。説明は下記の通りである。
図３４に示すのは、密閉できるケースボディー１００１の中に液体またはガスまたは膠状または固体物質を置き、中間貯熱体１０００を構成する構造である。密閉できるケースボディー１００１の中に液体またはガスまたは膠状または固体物質によって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。密閉できるケースボディー１００１は、密閉構造或いは開閉可能な封蓋構造を設置することによって構成される。
【００９１】
密閉できるケースボディー１００１は、更に少なくとも一個の流体流入配管１１１を設置し、及び少なくとも一個の流体流出配管１１２を設置し、流体を流入及び流出させる。密閉できるケースボディー１００１の中の流体は、例えば、水道水からの水流或いはその他給水システムの水流或いは自然水源の水流を連続して更換することにより、温度差を維持する。本実施形態の密閉できるケースボディー１００１は、ニーズによって流体流入配管１１１或いは流体流出配管１１２に応用管理と制御に合わせて下記の一種或いは一種以上の補助装置を設置する。それは下記を含む。
【００９２】
（１）流体ポンプ２０４を設置し、流体を能動圧送することによって、流体を流動させるために、自然流体の流動エネルギーに協力し、或いは、取り代わる。
（２）ろ過装置２０６を設置し、流体をろ過し、ろ過装置は固定式であり、または、更に制御ユニット３０８を設置し、ろ過装置を制御する。
（３）流量調節装置２０７を設置し、流量を調節する。
【００９３】
（４）流量計２０８３を設置し、流量計２０８３を地層中、地下、地表に設置し、通過する流体の流量を測定する。
（５）制御ユニット３０８を設置する。制御ユニット３０８は、機電装置、電子回路装置、マイクロプロセッサ、ソフトウェア関連、インターフェイス操作回路によって構成され、人工操作または電力または機械力の制御を含む。流体ポンプ２０４、ろ過装置２０６、流量調節装置２０７、流量計２０８３の作動を制御し、及びニーズによって流量計２０８３の流量を表示する。
【００９４】
図３５は、図３４の実施形態に流体流入配管及び流体流出配管を設置する構造の模式図である。
密閉できるケースボディー１００１は、ニーズによって良好の熱伝導係数を持つ材料によって構成されることを選択し、或いは、建物によって構成され、或いは、熱伝導係数を特に選択しない。
【００９５】
１０．或いは、図３６に開放槽の中に液体または膠状物質または固体を置き、中間貯熱体を構成し、また、自然の熱マトリックスと能動温度均等装置との間に設置する構造の模式図を示す。説明は下記の通りである。
図３６に上に向かって開放する槽状のケースボディー１００２の中に液体または膠状または固体物質を置き、中間貯熱体１０００を構成することを示す。上に向かって開放する槽状のケースボディー１００２の中に液体または膠状または固体物質を置き、構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。
【００９６】
上に向かって開放する槽状のケースボディー１００２は、更に少なくとも一個の流体流入水路１１３或いは流体流入配管１１１の二者或いはその中の一つを設置し、及び少なくとも一個の流体流出水路１１４或いは流体流出配管１１２の二者或いはその中の一つを設置し、流体を流入及び流出させる。上に向かって開放する槽状のケースボディー１００２の中の流体は、例えば、水道水からの水流或いはその他給水システムの水流或いは自然水源の水流を連続して更換することにより、温度差を維持する。本実施形態の上に向かって開放する槽状のケースボディー１００２は、ニーズによって流体流入配管１１１或いは流体流出配管１１２或いは流体流入水路１１３或いは流体流出水路１１４に応用管理と制御に合わせて下記の一種或いは一種以上の補助装置を設置する。それは下記を含む。
【００９７】
（１）流体ポンプ２０４を設置し、流体を能動圧送することによって、流体を流動させるために、自然流体の流動エネルギーに協力し、或いは、取り代わる。
（２）ろ過装置２０６を設置し、流体をろ過し、ろ過装置は固定式であり、または、更に制御ユニット３０８を設置し、ろ過装置を制御する。
（３）流量調節装置２０７を設置し、流量を調節する。
【００９８】
（４）流量計２０８３を設置し、流量計２０８３を地層中、地下、地表に設置し、通過する流体の流量を測定する。
（５）制御ユニット３０８を設置する。制御ユニット３０８は、機電装置、電子回路装置、マイクロプロセッサ、ソフトウェア関連、インターフェイス操作回路によって構成され、人工操作または電力または機械力の制御を含む。流体ポンプ２０４、ろ過装置２０６、流量調節装置２０７、流量計２０８３の作動を制御し、及びニーズによって流量計２０８３の流量を表示する。
【００９９】
図３７は、図３６の実施形態に設置する流体流入配管及び流体流出配管の構造の模式図である。図３８は、図３６の実施形態に設置する流体流入水路及び流体流出水路の構造の模式図である。図３９は、図３６の実施形態に同時に流体流入配管及び流体流入水路を設置し、及び流体流出配管及び流体流出水路を設置する構造の模式図である。
上に向かって開放する槽状のケースボディー１００２は、ニーズによって良い熱伝導係数を持つ材料によって構成されることを選択し、或いは、建物によって構成され、或いは、熱伝導係数を特に選択しない。
【０１００】
１１．或いは、図４０に多顆粒状或いは多塊状固体によって中間貯熱体を構成し、また、自然の熱マトリックスと能動温度均等装置との間に設置する実施形態の模式図を示す。説明は下記の通りである。
図４０に多顆粒状或いは多塊状固体によって中間貯熱体１０００を構成することを示す。多顆粒状或いは多塊状固体によって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。
【０１０１】
１２．或いは、図４１に網状構造で多顆粒状或いは多塊状固体を覆うことによって、中間貯熱体を構成し、また、自然の熱マトリックスと能動温度均等装置との間に設置する実施形態の模式図を示す。説明は下記の通りである。
図４１に網状構造１００３で多顆粒状或いは多塊状固体を覆うことによって、中間貯熱体１０００を構成することを示す。網状構造１００３で多顆粒状或いは多塊状固体を覆うことによって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。網状構造の構成材料は、ニーズによって良い熱伝導係数の材料によって構成されることを選択し、或いは、建物によって構成され、或いは、熱伝導係数を特に選択しない。
【０１０２】
１３．或いは、図４２に多孔状構造で多顆粒状或いは多塊状固体を覆うことによって、中間貯熱体を構成し、また、自然の熱マトリックスと能動温度均等装置との間に設置する実施形態の模式図を示す。説明は下記の通りである。
図４２に多孔状構造１００４で多顆粒状或いは多塊状固体を覆うことによって、中間貯熱体１０００を構成することを示す。多孔状構造１００４で多顆粒状或いは多塊状固体を覆うことによって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。多孔状構造の構成材料は、ニーズによって良い熱伝導係数の材料によって構成されることを選択し、或いは、建物によって構成され、或いは、熱伝導係数を特に選択しない。
【０１０３】
１４．或いは、図４３は、柵状構造で多顆粒状或いは多塊状固体を覆うことによって、中間貯熱体を構成し、また、自然の熱マトリックスと能動温度均等装置との間に設置する実施形態の模式図である。説明は下記の通りである。
図４３に柵状構造１００５で多顆粒状或いは多塊状構造を覆うことによって、中間貯熱体１０００を構成することを示す。柵状構造１００５で多顆粒状或いは多塊状構造を覆うことによって構成する中間貯熱体１０００は、良好の熱伝導係数及びより高い単位熱容量比を持ち、二者或いはその中の一つは外部に安定温度である自然の熱マトリックス１００より優れていて、自然の熱マトリックス１００と能動温度均等装置２０１との間に設置する。柵状構造の構成材料は、ニーズによって良い熱伝導係数の材料によって構成されることを選択し、或いは、建物によって構成され、或いは、熱伝導係数を特に選択しない。
【０１０４】
前述の図１１から図１９に示す自然の熱エネルギーを利用した給気システムの実施形態の中で、中間貯熱体１０００と自然の熱マトリックス１００との間に、更に図４４は能動温度均等装置２０１の中間貯熱体１０００と自然の熱マトリックス１００との間に平面指向（２Ｄ）または立体指向（３Ｄ）または垂直指向の輻射状導熱補助装置２０００を設置する実施形態の模式図である。
【０１０５】
図４４の説明は下記の通りである。
製作及び設計コストを考慮し、及び中間貯熱体１０００と自然の熱マトリックス１００との間の熱伝導効果を高めるために、中間貯熱体１０００と自然の熱マトリックス１００との間に平面指向（２Ｄ）または立体指向（３Ｄ）または垂直指向の輻射状導熱補助装置２０００を設置することによって、熱エネルギー輸送効果を高める。その設置方式は下記を含む。
【０１０６】
輻射状導熱補助装置２０００は、良い熱伝導係数を持つ材料によって構成され、平面指向（２Ｄ）または立体指向（３Ｄ）または垂直指向の輻射状の少なくとも一個の柱状または片状または翼状に延伸する導熱装置である。その構造は、中が詰まった或いは中空構造で、中に導熱充填物を含むことによって構成され、或いは、ヒートパイプ構造によって構成され、中間貯熱体１０００と自然の熱マトリックス１００との間にある輻射状導熱補助装置２０００に設置する。
【０１０７】
輻射状導熱補助装置２０００は、更に中空構造で中に導熱充填物或いはヒートパイプを含む構造によって取り代わる。図４５に本実施形態の中空構造で、その中に導熱充填物或いはヒートパイプを含む構造によって構成し、能動温度均等装置２０１の中間貯熱体１０００と自然の熱マトリックス１００との間が中空構造であって、その中に導熱充填物或いはヒートパイプを含む構造によって構成する輻射状導熱補助装置の構造の模式図を示す。
【０１０８】
図４５に実施形態の中に、中空構造であって、その中に導熱充填物或いはヒートパイプを含む構造によって構成する輻射状導熱補助装置２００１を示す。その設置方式は下記の通りである。
もし中間貯熱体１０００を直接に自然の熱マトリックス１００と能動温度均等装置２０１との間に設置する場合、中空構造の中に導熱充填物或いはヒートパイプ構造を含む輻射状導熱補助装置２００１は、平面指向（２Ｄ）または立体指向（３Ｄ）または垂直指向になって、中間貯熱体１０００と自然の熱マトリックス１００との間に延伸して設置する。また、平面指向（２Ｄ）または立体指向（３Ｄ）または垂直指向になって、中間貯熱体１０００及び自然の熱マトリックス１００の内部まで延伸することによって、熱エネルギー輸送効果を高める。
【０１０９】
もし中間貯熱体１０００を良い熱伝導係数を持つ容器状のケースボディー構造或いは良い熱伝導係数を持つ網状隔離構造或いは柵状隔離構造或いは多孔状隔離構造に設置する場合、中空構造の中に導熱充填物或いはヒートパイプを含む構造によって構成する輻射状導熱補助装置２００１は、良い熱伝導係数を持つ容器状のケースボディー構造と結合し、或いは、良い熱伝導係数を持つ網状或いは柵状或いは多孔状隔離構造と結合し、中間貯熱体１０００に向かい、及び自然の熱マトリックス１００に向かう二者或いはその中の一つは平面指向（２Ｄ）または立体指向（３Ｄ）または垂直指向になって、中空構造の中に導熱充填物或いはヒートパイプを含む構造によって構成する輻射状導熱補助装置２００１を設置することによって、熱伝導効果を高める。
【０１１０】
上述の図３から図４５の実施形態の中に発表した各種中間貯熱体の構成及び設置方式は、説明するために例を挙げただけで、本実施形態の応用方式を制限することではなく、その他全ての本実施形態に発表した自然の熱マトリックス１００と両端に別々に第一導管が設置されている温度均等体との間に革新的に中間貯熱体１０００を設置する。中間貯熱体１００は良好の熱伝導係数及び／或いはより高い単位熱容量比を持ち、二者或いはその中の一つが外部に安定温度である自然の熱マトリックス１００より優れている各種中間貯熱体の構成及び設置方式に適合している場合は、全て本実施形態の範囲に属する。
【０１１１】
上述のシステムを通して、設置するときの設備固定コスト及びその後の圧動のエネルギーのみがあれば、特定空間の温度調節機能が得られ、また、大量のエネルギーが節約される。
本実施形態の自然の熱エネルギーを利用した給気システムの中で、中間貯熱体１０００と温度均等装置１０１は同一構造または組立てまたは隣接して設置し、或いは、一個または数個を直列または並列または直並列に接続する温度均等装置１０１の周辺に充填し、同一構造の装置を構成する。温度均等装置１０１は内部にあるシングルサーキット或いはマルチサーキットを並列に接続する流体通路の導熱体によって構成され、一個或いは多数個の温度均等装置１０１を設置し、直列または並列接続または直並列接続の選択が可能で、中間貯熱体１０００の中に設置し、或いは、同一構造または隣接結合することによって、自然の熱マトリックス１００を設置する。
【０１１２】
温度均等装置１０１は、良い熱伝導係数の材料によって構成され、内外の吸熱と放熱面は平滑面または特定な交錯状または特定な湾曲曲線状構造によって構成され、或いは、良い熱伝導係数の材料によって構成される。直線または湾曲曲線状の管状流体導管構造によって温度均等装置１０１を構成し、及びニーズによって温度均等装置１０１の外部に外部に向かって延伸する翼状或いは柱状の導熱構造の設置を選択し、或いは、内部に内部に向かって延伸する翼状或いは柱状の導熱構造を設置することによって、吸熱及び放熱効果を高める。温度均等装置１０１は、少なくとも一つの入口及び少なくとも一つの出口を持ち、別々に第一流体導管１０２及び第二流体導管１０３と接続する。
【０１１３】
少なくとも一個の中間貯熱体１０００は、固体または膠状または液体またはガス貯熱材料物体によって構成されることを含み、温度均等装置１０１と同一構造または組立てまたは隣接して設置し、或いは、一個または数個の直列または並列または直並列に接続する温度均等装置１０１の周辺に充填する。中間貯熱体１０００の構成材料の熱伝導係数及び単位熱容量比は、地層、地表、池、湖、河川、砂漠、氷山、海洋などに設置する固体或いは液体の自然の熱マトリックス１００より優れている。
【０１１４】
中間貯熱体１０００は、直接に温度均等装置１０１に設置することができ、或いは、選択使用する貯熱物質材料の性質に合わせて、または、構造のニーズ、環境保全のニーズ、更なるニーズによって中間貯熱体１０００の外部に良い熱伝導係数を持つ材料によって構成される容器状のケースボディー構造或いは良い熱伝導係数の材料によって網状または柵状または多孔状隔離構造の構成を選択し、中間貯熱体１０００と自然の熱マトリックス１００の相対的な空間的位置関係を制限や隔離する。
【０１１５】
中間貯熱体１０００と自然の熱マトリックス１００と温度均等体との間の熱伝導面は、平滑面または特定な交錯状または外部に向かって輻射延伸する翼状或いは柱状構造にすることができ、熱伝導効果を高める。中間貯熱体はより良い熱伝導係数及び／或いはより良い単位熱容量比を持ち、二者或いはその中の一つは外部に安定温度である自然の熱マトリックス１００より優れていて、自然の熱マトリックス１００の熱エネルギーを吸収する。中間貯熱体１０００はより大きい熱容量の熱エネルギーを貯蔵することによって、同じ単位時間と同じ温度差条件において、温度均等装置１０１に対してより大きい熱エネルギーを伝送する。
【０１１６】
本実施形態の自然の熱エネルギーを利用した給気システムの中で、中間貯熱体１０００と能動温度均等装置２０１は同一構造または組立てまたは隣接して設置し、或いは、一個または数個を直列または並列または直並列に接続する能動温度均等装置２０１の周辺に同一構造の装置を構成することができる。能動温度均等装置２０１は、内部にあるシングルサーキット或いはマルチサーキットを並列に接続する流体通路の導熱体によって構成され、一個或いは多数個の能動温度均等装置２０１を設置し、直列または並列接続または直並列接続の選択が可能で、中間貯熱体１０００の中に設置し、或いは、同一構造または隣接結合することによって、自然の熱マトリックス１００を設置する。
【０１１７】
能動温度均等装置２０１は、良い熱伝導係数を持つ材料によって構成され、内外の吸熱と放熱面は平滑面または特定な交錯状または特定な湾曲曲線状構造によって構成され、或いは、良い熱伝導係数の材料によって構成される。直線または湾曲曲線状の管状流体導管構造によって能動温度均等装置２０１を構成し、及びニーズによって能動温度均等装置２０１の外部に外部に向かって延伸する翼状或いは柱状の導熱構造の設置を選択し、或いは、内部に内部に向かって延伸する翼状或いは柱状導熱構造を設置することによって、吸熱及び放熱効果を高める。能動温度均等装置２０１は、少なくとも一つの入口及び少なくとも一つの出口を持ち、別々に第一流体導管１０２及び第二流体導管１０３と接続する。
【０１１８】
少なくとも一個の中間貯熱体１０００は、固体または膠状または液体またはガス貯熱材料物体によって構成されることを含み、能動温度均等装置２０１と同一構造または組立てまたは隣接して設置し、或いは、一個または数個の直列または並列または直並列に接続する能動温度均等装置２０１の周辺に充填する。中間貯熱体１０００の構成材料の熱伝導係数及び単位熱容量比は、地層、地表、池、湖、河川、砂漠、氷山、海洋などに設置する固体或いは液体の自然の熱マトリックス１００より優れている。
【０１１９】
中間貯熱体１０００は、直接に能動温度均等装置２０１に設置することができ、或いは、選択使用する貯熱物質材料の性質に合わせて、または、構造のニーズ、環境保全のニーズ、更なるニーズによって中間貯熱体１０００の外部に良い熱伝導係数を持つ材料によって構成される容器状のケースボディー構造或いは良い熱伝導係数の材料によって網状または柵状または多孔状隔離構造の構成を選択し、中間貯熱体１０００と自然の熱マトリックス１００の相対的な空間的位置関係を制限や隔離する。
【０１２０】
中間貯熱体１０００と自然の熱マトリックス１００と温度均等体との間の熱伝導面は、平滑面または特定な交錯状または外部に向かって輻射延伸する翼状或いは柱状構造にすることができ、熱伝導効果を高める。中間貯熱体は、より良い熱伝導係数及び／或いはより良い単位熱容量比を持ち、二者或いはその中の一つは外部に安定温度である自然の熱マトリックス１００より優れていて、周りの安定温度である自然の熱マトリックス１００の熱エネルギーを吸収する。中間貯熱体１０００は、より大きい熱容量の熱エネルギーを貯蔵することによって、同じ単位時間と同じ温度差条件において、能動温度均等装置２０１に対してより大きい熱エネルギーを伝送する。
【０１２１】
本実施形態の自然の熱エネルギーを利用した給気システムに述べたガス物質添加装置１０８４は、自然の熱エネルギーを利用した給気システムへの応用ができる以外に、また、伝統的な中間貯熱体未設置の自然の熱エネルギーを均等温度で給気するシステムまたは一般養殖温室または貯蔵倉庫などの室内空間の給気するシステムへの応用もできる。人体、動物、植物に有益なガス物体を送り込み、或いは、気流によって運ばれる微粉粒体や霧状液体を送り込み、或いは、物品保護に有利なガス物体または微粉粒体や霧状液体を送り込み、或いは、匂いが分かるガス物体或いは微粉粒体或いは霧状液体を送り込むことができる。
【０１２２】
本実施形態の自然の熱エネルギーを利用した給気システムの中で、もし自然の熱マトリックス１００或いは中間貯熱体１０００が液体或いはガス物体によって構成される場合、熱エネルギー輸送効果を高めるために、更に流体撹拌ポンプ２１４を設置することができる。自然の熱マトリックス１００から中間貯熱体１０００を流れ通るガス或いは液体を圧動することにより、自然の熱マトリックス１００と中間貯熱体１０００との間の熱エネルギー輸送効果を高める。或いは、流体撹拌ポンプ２１４を通して、中間貯熱体１０００の中を流れ通る温度均等装置１０１或いは能動温度均等装置２０１を流れ通るガス或いは液体物体を圧動することによって、中間貯熱体１０００が温度均等装置１０１に対して或いは能動温度均等装置２０１に対して熱エネルギー輸送効果を高める。
【０１２３】
図４６に図３の実施形態の中間貯熱体１０００を流体撹拌ポンプ２１４を設置している液体或いはガス物体によって構成される自然の熱マトリックスに設置し、流体撹拌ポンプ２１４を通して、液体或いはガス物体を圧動し、温度均等装置１０１に対して温度均等効果を形成する構造の模式図を示す。
図４７に図１１の実施形態の中間貯熱体１０００を流体撹拌ポンプ２１４を設置している液体或いはガス物体によって構成される自然の熱マトリックスに設置し、流体撹拌ポンプ２１４を通して、液体或いはガス物体を圧動し、能動温度均等装置２０１に対して温度均等効果を形成する構造の模式図を示す。
【０１２４】
勿論、流体撹拌ポンプ２１４の圧動を通して、ガス或いは液体物体によって自然の熱マトリックス１００を構成する方法は、中間貯熱体の自然の温度均等装置へ応用する以外に、よく使われる自然の熱マトリックス１００に直接設置する温度均等装置１０１へ応用もできる。或いは、能動温度均等装置２０１のシステムの中で、ガス或いは液体物体によって自然の熱マトリックス１００を構成するとき、自然の熱マトリックス１００に設置する流体撹拌ポンプ２１４を通して、自然の熱マトリックス１００を流れ通る温度均等装置１０１或いは能動温度均等装置２０１を流れ通るガス或いは液体物流を圧動することによって、自然の熱マトリックス１００が温度均等装置１０１に対して或いは能動温度均等装置２０１に対して熱エネルギー輸送効果を高める。
【０１２５】
図４８に図３の実施形態の中間貯熱体１０００を設置しないで、直接に温度均等装置１０１を液体或いはガス物体を設置した流体撹拌ポンプ２１４に設置することによって、自然の熱マトリックス１００を構成し、流体撹拌ポンプ２１４を通して液体或いはガス物体を圧動し、温度均等装置１０１に対して温度均等効果を形成する構造の模式図を示す。
図４９に図１１の実施形態の中間貯熱体１０００を設置しないで、直接に能動温度均等装置２０１を液体或いはガス物体を設置した流体撹拌ポンプ２１４に設置することによって、自然の熱マトリックス１００を構成し、流体撹拌ポンプ２１４を通して、液体或いはガス物体を圧動し、能動温度均等装置２０１に対して温度均等効果を形成する構造の模式図を示す。
【０１２６】
上述をまとめて見ると、本実施形態のシステムは、自然の熱マトリックスの熱エネルギーを引用し、中間貯熱体構成の温度調節と結合するシステムである。調節温度の熱エネルギーは大自然からきてまた大自然へ戻り、伝統的なエアコン、例えば、冷房と比べると、後者は大量のエネルギーを消費するだけではなく、かつ形成する廃熱は二次公害を形成し、使用するＣＦＣによってオゾン層が破壊され、しかも、供給する空気の質と量が制限される。本実施形態のシステムは、完璧でかつ自然であり、引用する全ての関連装置はすでに成熟したコンポネントであって、実用性と新鋭性は明らかである。
【符号の説明】
【０１２７】
１００：自然の熱マトリックス、１０１：温度均等装置、１０２：第一流体導管、１０３：第二流体導管、１０４：ポンプ装置、１０６：ろ過装置、１０７：流量調節装置、１０８：制御ユニット、１０９：調節補助装置、１１１：流体流入配管、１１２：流体流出配管、１１３：流体流入水路、１１４：流体流出水路、２０１：能動温度均等装置、２０２：熱エネルギー流体輸送配管、２０３：熱エネルギー輸送流体、２０４：流体ポンプ、２０５：受動温度均等体、２０６：ろ過装置、２０７：流量調節装置、２０８：制御ユニット、２０９：調節補助装置、２１４：流体撹拌ポンプ、３０８：制御ユニット、１０００：中間貯熱体、１００１：密閉できるケースボディー、１００２：槽状のケースボディー、１００３：網状構造、１００４：多孔状構造、１００５：柵状構造、１０８１：有害ガス検知器、１０８２：温度測定装置、１０８３：流量計、１０８４：ガス物質添加装置、１０９０：調湿装置、１０９１：排水装置、２０００：輻射状導熱補助装置、２００１：輻射状導熱補助装置、２０８３：流量計
【図１】
2011043294.tif 000003
【図２】
2011043294.tif 000004
【図３】
2011043294.tif 000005
【図４】
2011043294.tif 000006
【図５】
2011043294.tif 000007
【図６】
2011043294.tif 000008
【図７】
2011043294.tif 000009
【図８】
2011043294.tif 000010
【図９】
2011043294.tif 000011
【図１０】
2011043294.tif 000012
【図１１】
2011043294.tif 000013
【図１２】
2011043294.tif 000014
【図１３】
2011043294.tif 000015
【図１４】
2011043294.tif 000016
【図１５】
2011043294.tif 000017
【図１６】
2011043294.tif 000018
【図１７】
2011043294.tif 000019
【図１８】
2011043294.tif 000020
【図１９】
2011043294.tif 000021
【図２０】
2011043294.tif 000022
【図２１】
2011043294.tif 000023
【図２２】
2011043294.tif 000024
【図２３】
2011043294.tif 000025
【図２４】
2011043294.tif 000026
【図２５】
2011043294.tif 000027
【図２６】
2011043294.tif 000028
【図２７】
2011043294.tif 000029
【図２８】
2011043294.tif 000030
【図２９】
2011043294.tif 000031
【図３０】
2011043294.tif 000032
【図３１】
2011043294.tif 000033
【図３２】
2011043294.tif 000034
【図３３】
2011043294.tif 000035
【図３４】
2011043294.tif 000036
【図３５】
2011043294.tif 000037
【図３６】
2011043294.tif 000038
【図３７】
2011043294.tif 000039
【図３８】
2011043294.tif 000040
【図３９】
2011043294.tif 000041
【図４０】
2011043294.tif 000042
【図４１】
2011043294.tif 000043
【図４２】
2011043294.tif 000044
【図４３】
2011043294.tif 000045
【図４４】
2011043294.tif 000046
【図４５】
2011043294.tif 000047
【図４６】
2011043294.tif 000048
【図４７】
2011043294.tif 000049
【図４８】
2011043294.tif 000050
【図４９】
2011043294.tif 000051